(57)【要約】双方向サービスシステム（７０）は、サービス提供側に、ＡＶコンテンツを送信するＡＶコンテンツ作成・送信装置（７２）と、メッセージを受信するＡＶコンテンツ関連サービス提供装置（７５）とを備えており、サービス要求側に、ＡＶコンテンツ作成・送信装置（７２）から受信したＡＶコンテンツを再生し、ＡＶコンテンツのサブコンテンツに基づいてメッセージを作成して送信するＡＶコンテンツ再生装置（７４）を備えている。ＡＶコンテンツ作成・送信装置（７２）は、ＡＶコンテンツのＡＶデータを、中継局（１３）を介して放送する一方、ＡＶコンテンツのサブコンテンツを、ネットワーク（１６）を介して送信している。【特許請求の範囲】
【請求項１】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側は、前記マルチメディアコンテンツに含まれるコンテンツおよびサブコンテンツを前記サービス要求側に、別々の通信経路で送信しており、
前記サービス要求側は、該サービス要求側が有する送信先データに基づいて前記メッセージを送信することを特徴とする双方向サービスシステム。
【請求項２】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側は、前記マルチメディアコンテンツに含まれるコンテンツおよびサブコンテンツを前記サービス要求側に、同じ通信経路で送信しており、
前記サービス要求側は、該サービス要求側が有する送信先データに基づいて前記メッセージを送信することを特徴とする双方向サービスシステム。
【請求項３】
前記サービス要求側に送信されるコンテンツおよびサブコンテンツは、非同期で送信されることを特徴とする請求項２に記載の双方向サービスシステム。
【請求項４】
前記マルチメディアコンテンツのサブコンテンツは、前記メッセージの送信先を示す送信先データを含んでいることを特徴とする請求項１ないし３の何れか１項に記載の双方向サービスシステム。
【請求項５】
或るコンテンツと該コンテンツに付随するサブコンテンツとを含むマルチメディアコンテンツを送信する送信手段を備えるマルチメディアコンテンツ送信装置であって、
前記送信手段は、前記マルチメディアコンテンツに含まれるコンテンツおよびサブコンテンツを、別々の通信経路で送信することを特徴とするマルチメディアコンテンツ送信装置。
【請求項６】
或るコンテンツと該コンテンツに付随するサブコンテンツとを含むマルチメディアコンテンツを送信する送信手段を備えるマルチメディアコンテンツ送信装置であって、
前記送信手段は、前記マルチメディアコンテンツに含まれるコンテンツおよびサブコンテンツを、同じ通信経路で送信することを特徴とするマルチメディアコンテンツ送信装置。
【請求項７】
前記コンテンツおよびサブコンテンツは、非同期で送信されることを特徴とする請求項６に記載のマルチメディアコンテンツ送信装置。
【請求項８】
前記サブコンテンツは、前記マルチメディアコンテンツに対するメッセージの送信先を示す送信先データを含むことを特徴とする請求項５ないし７の何れか１項に記載のマルチメディアコンテンツ送信装置。
【請求項９】
前記送信先データは、前記コンテンツに対応するものであることを特徴とする請求項８に記載のマルチメディアコンテンツ送信装置。
【請求項１０】
前記サブコンテンツは、前記マルチメディアコンテンツを再生する側において、前記メッセージを作成する場合の該メッセージの構造を示す構造データをさらに含むことを特徴とする請求項５ないし７の何れか１項に記載のマルチメディアコンテンツ送信装置。
【請求項１１】
或るコンテンツと該コンテンツに付随するサブコンテンツとを含むマルチメディアコンテンツを受信する受信手段を備えるマルチメディアコンテンツ受信装置であって、
前記受信手段は、前記コンテンツおよび前記サブコンテンツを、別々の通信経路で受信することを特徴とするマルチメディアコンテンツ受信装置。
【請求項１２】
或るコンテンツと該コンテンツに付随するサブコンテンツとを含むマルチメディアコンテンツを受信する受信手段を備えるマルチメディアコンテンツ受信装置であって、
前記受信手段は、前記コンテンツおよび前記サブコンテンツを、同じ通信経路で受信することを特徴とするマルチメディアコンテンツ受信装置。
【請求項１３】
前記コンテンツおよび前記サブコンテンツは、非同期で受信されることを特徴とする請求項１２に記載のマルチメディアコンテンツ受信装置。
【請求項１４】
或るコンテンツと該コンテンツに付随するサブコンテンツとを含むマルチメディアコンテンツを受信する受信手段を備えるマルチメディアコンテンツ受信装置であって、
前記受信手段は、自装置からの要求に無関係に送信され、或いは放送された前記サブコンテンツを受信することを特徴とするマルチメディアコンテンツ受信装置。
【請求項１５】
前記受信手段が受信したサブコンテンツを再生するサブコンテンツ再生手段をさらに備えることを特徴とする請求項１１ないし１４の何れか１項に記載のマルチメディアコンテンツ受信装置。
【請求項１６】
前記受信手段が受信したコンテンツを再生するコンテンツ再生手段をさらに備えることを特徴とする請求項１５に記載のマルチメディアコンテンツ受信装置。
【請求項１７】
前記マルチメディアコンテンツに対するメッセージを作成する作成手段と、
作成したメッセージを送信する送信手段とをさらに備えており、
前記送信手段は、自装置が有する送信先データによって示される送信先に前記メッセージを送信することを特徴とする請求項１１ないし１６の何れか１項に記載のマルチメディアコンテンツ受信装置。
【請求項１８】
前記送信先データは、前記受信手段が受信したサブコンテンツに含まれるものであることを特徴とする請求項１７に記載のマルチメディアコンテンツ受信装置。
【請求項１９】
前記作成手段は、前記受信手段が受信したサブコンテンツに含まれる構造データによって示されるメッセージの構造に基づいてメッセージを作成することを特徴とする請求項１７または１８に記載のマルチメディアコンテンツ受信装置。
【請求項２０】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側には、
前記マルチメディアコンテンツを送信する請求項５ないし１０の何れか１項に記載のマルチメディアコンテンツ送信装置を備えており、
前記サービス要求側には、
前記マルチメディアコンテンツを受信する請求項１７ないし１９の何れか１項に記載のマルチメディアコンテンツ受信装置を備えており、
さらに、前記サービス提供側には、
前記マルチメディアコンテンツ受信装置から前記メッセージを受信するメッセージ受信装置とを備えることを特徴とする双方向サービスシステム。
【請求項２１】
或るコンテンツと該コンテンツに付随するサブコンテンツとを含むマルチメディアコンテンツを送信するマルチメディアコンテンツ送信装置の制御方法であって、
前記マルチメディアコンテンツに含まれるコンテンツおよびサブコンテンツを、別々の通信経路で或いは同じ通信経路で送信するステップを含むことを特徴とするマルチメディアコンテンツ送信装置の制御方法。
【請求項２２】
或るコンテンツと該コンテンツに付随するサブコンテンツとを含むマルチメディアコンテンツを受信するマルチメディアコンテンツ受信装置の制御方法であって、
前記コンテンツおよび前記サブコンテンツを、別々の通信経路で或いは同じ通信経路で受信するステップを含むことを特徴とするマルチメディアコンテンツ受信装置の制御方法。
【請求項２３】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムであって、前記サービス提供側には、前記マルチメディアコンテンツを送信するマルチメディアコンテンツ送信装置を備えており、前記サービス要求側には、前記マルチメディアコンテンツを受信するマルチメディアコンテンツ受信装置を備えており、さらに、前記サービス提供側には、前記マルチメディアコンテンツ受信装置から前記メッセージを受信するメッセージ受信装置とを備える双方向サービスシステムの制御方法において、
前記マルチメディアコンテンツ送信装置が、前記マルチメディアコンテンツに含まれるコンテンツおよびサブコンテンツを前記マルチメディアコンテンツ受信装置に、別々の通信経路で或いは同じ通信経路で送信するステップと、
前記マルチメディアコンテンツ受信装置が、前記サービス要求側が有する送信先データに基づいて前記メッセージを送信するステップとを含むことを特徴とする双方向サービスシステムの制御方法。
【請求項２４】
請求項２１に記載のマルチメディアコンテンツ送信装置の制御方法における各ステップをコンピュータに実行させることを特徴とするマルチメディアコンテンツ送信装置制御プログラム。
【請求項２５】
請求項２２に記載のマルチメディアコンテンツ受信装置の制御方法における各ステップをコンピュータに実行させることを特徴とするマルチメディアコンテンツ受信装置制御プログラム。
【請求項２６】
請求項２３に記載の双方向サービスシステムの制御方法における各ステップをコンピュータに実行させることを特徴とする双方向サービスシステム制御プログラム。
【請求項２７】
請求項２４に記載のマルチメディアコンテンツ送信装置制御プログラム、請求項２５に記載のマルチメディアコンテンツ受信装置制御プログラム、および請求項２６に記載の双方向サービスシステム制御プログラムのうち少なくとも１つを記録したことを特徴とするコンピュータ読取り可能な記録媒体。
【発明の詳細な説明】
【技術分野】
【０００１】  本発明は、或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステム、およびその制御方法、マルチメディアコンテンツ送信装置およびその制御方法、マルチメディアコンテンツ受信装置およびその制御方法、サブコンテンツ受信装置およびその制御方法、双方向サービスシステム制御プログラム、マルチメディアコンテンツ送信装置制御プログラム、マルチメディアコンテンツ受信装置制御プログラム、サブコンテンツ受信装置制御プログラム、並びに該プログラムを記録した記録媒体に関するものである
【背景技術】
【０００２】  現在、ＴＶ（テレビジョン）放送は、アナログ放送からデジタル放送に移行しつつある。このデジタル放送の特徴として、多チャンネル化、高画質化、高音質化などの他、データ放送の実現が挙げられる。【０００３】  データ放送は、放送事業者が、衛星ＴＶ放送や地上波ＴＶ放送の電波を利用して、文字やプログラムなどのデータを不特定多数の端末（ＴＶ受信機）に向けて配信するものである。放送事業者のデータ放送機能と、端末の情報入力機能および通信機能とを利用することにより、視聴者がＴＶ放送に対して何らかの働きかけを行う双方向（インタラクティブ）サービスを実現できる。【０００４】  従来の双方向サービスでは、ＡＶ（ａｕｄｉｏ  ｖｉｓｕａｌ）データと、該ＡＶデータに付随するサブコンテンツとからなるＡＶコンテンツを端末に送信する。サブコンテンツには、ＢＭＬ（Ｂｒｏａｄｃａｓｔ  Ｍａｒｋｕｐ  Ｌａｎｇｕａｇｅ）で記述されたＢＭＬデータが含まれている。端末は、該データを解釈して実行することにより、放送内容やそれに付随する情報をレイアウトして表示している。また、端末からの入力に対するインタラクションは、ＢＭＬデータに含まれるＥＣＭＡスクリプトによって実行される。そして、入力内容を含むデータが、電話回線、インターネットなどを介してＢＭＬ応答サーバなどに送信される。【０００５】  また、特許文献１に記載の双方向サービス支援システムでは、放送事業者は、双方向サービス用のサービスシーン、そのサービスシーンに関連付けられた当該サービスシーン識別用のサービスシーンコード（ＳＳＣ）、およびそのＳＳＣに対応付けられたサービスタイプを含むデータ放送番組コンテンツを放送する。視聴者の受信機は、上記放送事業者から放送されたデータ放送番組コンテンツを受信し、ＳＳＣおよびサービスタイプを含む応答データを応答サーバに送信する。応答サーバは、上記受信機から受信した応答データにおけるサービスタイプに対応するサーバモジュールを、メモリを参照して特定し、特定したサーバモジュールに対応する処理を実行する。【０００６】  なお、本願では、サービス要求側からサービス提供側に対して送られるデータのことを「メッセージ」と定義する。「メッセージ」には、電子メールや、ＷＷＷ（Ｗｏｒｌｄ  Ｗｉｄｅ  Ｗｅｂ）におけるリクエストなどが含まれる。
【特許文献１】日本国公開特許公報「特開２００２−１７１５０８号公報（２００２年６月１４日公開）」
【特許文献２】日本国公開特許公報「特開２００４−３４３６８３号公報（２００４年１２月２日公開）」
【発明の開示】
【０００７】  上述のように、従来は、コンテンツとコンテンツに付随するサブコンテンツとを含むマルチメディアコンテンツを送信している。このため、マルチメディアコンテンツのデータ量が多いと、通信経路の負担が増大することになる。
【０００８】  本発明は、上記の問題点に鑑みてなされたものであり、その目的は、従来よりも通信経路の負担を軽減できる双方向サービスシステムなどを提供することにある。
【０００９】  本発明に係る双方向サービスシステムは、或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、上記目的を達成するために、前記サービス提供側は、前記マルチメディアコンテンツに含まれるコンテンツおよびサブコンテンツを前記サービス要求側に、別々の通信経路で送信しており、前記サービス要求側は、該サービス要求側が有する送信先データに基づいて前記メッセージを送信することを特徴としている。
【００１０】  従来は、コンテンツおよびサブコンテンツをマルチメディアコンテンツとして送信している。このため、コンテンツおよびサブコンテンツを、同じ通信経路を利用して同時に送信することになるので、通信経路の負担が大きくなる。
【００１１】  そこで、本発明では、マルチメディアコンテンツに含まれるコンテンツおよびサブコンテンツを、別々の通信経路で送信しているので、従来よりも通信経路の負担を軽減することができる。また、或る通信経路が利用できない環境や場所において、別の通信経路を利用することによりコンテンツおよびサブコンテンツを送信できるようになる。
【００１２】  本発明に係る双方向サービスシステムは、或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、上記目的を達成するために、前記サービス提供側は、前記マルチメディアコンテンツに含まれるコンテンツおよびサブコンテンツを前記サービス要求側に、同じ通信経路で送信しており、前記サービス要求側は、該サービス要求側が有する送信先データに基づいて前記メッセージを送信することを特徴としている。
【００１３】  上記の構成によると、マルチメディアコンテンツに対するメッセージを、サービス要求側が有する送信先データに基づいてサービス提供側に送信している。これにより、種々の送信先にメッセージを送信することができる。
【００１４】  本発明に係る双方向サービスシステムでは、前記サービス要求側に送信されるコンテンツおよびサブコンテンツは、非同期で送信されることが好ましい。この場合、コンテンツおよびサブコンテンツが同時に送信される可能性が低くなるので、従来よりも通信経路の負担を軽減することができる。また、サブコンテンツに記述された双方向サービスの提供を、コンテンツが提供される時間とは別のタイミングで行うことができる。
【００１５】  なお、サービス要求側が有する送信先データとしては、サービス要求側で保存されているアドレス帳を利用したものであってもよいし、ユーザから入力されたデータであってあってもよい。
【００１６】  本発明に係る双方向サービスシステムでは、前記マルチメディアコンテンツのサブコンテンツは、前記メッセージの送信先を示す送信先データを含んでいてもよい。この場合、サービス要求側は、前記サブコンテンツに含まれる送信先データに基づいてメッセージを送信することができる。これにより、サービス提供側が所望する送信先にメッセージを確実に送信することができる。したがって、双方向サービスを提供するサーバ以外にも、例えば放送事業者、ＣＭ制作業者などのサーバにメッセージを送信することができる。
【００１７】  なお、マルチメディアコンテンツに含まれるコンテンツとしては、ＡＶデータ、画像データ、映像データ、音声データ、文書データなど、種々のコンテンツを利用することができる。
【００１８】  また、前記コンテンツおよびサブコンテンツの送信は、サブコンテンツを、前記サービス要求側からの要求に無関係に送信するか、或いは放送するものであることが好ましい。この場合、サービス要求側からの要求が不要であるので、サービスを要求する利用者を煩わせることがない。
【００１９】  本発明に係るマルチメディアコンテンツ送信装置は、或るコンテンツと該コンテンツに付随するサブコンテンツとを含むマルチメディアコンテンツを送信する送信手段を備えるマルチメディアコンテンツ送信装置であって、上記目的を達成するために、前記送信手段は、前記マルチメディアコンテンツに含まれるコンテンツおよびサブコンテンツを、別々の通信経路で送信することを特徴としている。
【００２０】  また、本発明に係るマルチメディアコンテンツ送信装置の制御方法は、或るコンテンツと該コンテンツに付随するサブコンテンツとを含むマルチメディアコンテンツを送信するマルチメディアコンテンツ送信装置の制御方法であって、上記目的を達成するために、前記マルチメディアコンテンツに含まれるコンテンツおよびサブコンテンツを、別々の通信経路で送信するステップを含むことを特徴としている。
【００２１】  上記の構成および方法によると、マルチメディアコンテンツに含まれるコンテンツおよびサブコンテンツを、別々の通信経路で送信しているので、上述のように、従来よりも通信経路の負担を軽減することができる。また、或る通信経路が利用できない環境や場所において、別の通信経路を利用することによりコンテンツおよびサブコンテンツを送信できるようになる。
【００２２】  本発明に係るマルチメディアコンテンツ送信装置は、或るコンテンツと該コンテンツに付随するサブコンテンツとを含むマルチメディアコンテンツを送信する送信手段を備えるマルチメディアコンテンツ送信装置であって、上記目的を達成するために、前記送信手段は、前記マルチメディアコンテンツに含まれるコンテンツおよびサブコンテンツを、同じ通信経路で送信することを特徴としている。
【００２３】  また、本発明に係るマルチメディアコンテンツ送信装置の制御方法は、或るコンテンツと該コンテンツに付随するサブコンテンツとを含むマルチメディアコンテンツを送信するマルチメディアコンテンツ送信装置の制御方法であって、上記目的を達成するために、前記マルチメディアコンテンツに含まれるコンテンツおよびサブコンテンツを、同じ通信経路で送信するステップを含むことを特徴としている。
【００２４】  本発明に係るマルチメディアコンテンツ送信装置では、前記コンテンツおよびサブコンテンツは、非同期で送信されることが好ましい。この場合、コンテンツおよびサブコンテンツが同時に送信される可能性が低くなるので、従来よりも通信経路の負担を軽減することができる。また、サブコンテンツに記述された、双方向サービス等の各種サービスの提供を、コンテンツが提供される時間とは別のタイミングで行うことができる。
【００２５】  なお、上述のマルチメディアコンテンツ送信装置は、外部を含む異なる装置にデータ（マルチメディアコンテンツ）を送信することが望ましい。
【００２６】  また、マルチメディアコンテンツを再生する側において、コンテンツを再生するコンテンツ再生装置と、サブコンテンツを再生するサブコンテンツ再生装置とが分離している場合には、マルチメディアコンテンツ送信装置は、マルチメディアコンテンツを両方の装置に送信してもよいし、コンテンツをコンテンツ再生装置に送信し、サブコンテンツをサブコンテンツ再生装置に送信してもよい。
【００２７】  また、前記コンテンツおよびサブコンテンツの送信は、サブコンテンツを、前記サービス要求側からの要求に無関係に送信するか、或いは放送するものであることが好ましい。この場合、サービス要求側からの要求が不要であるので、サービスを要求する利用者を煩わせることが無い。
【００２８】  本発明に係るマルチメディアコンテンツ送信装置では、前記サブコンテンツは、前記マルチメディアコンテンツに対するメッセージの送信先を示す送信先データを含むことが好ましい。
【００２９】  上記の構成によると、マルチメディアコンテンツを再生する側で、前記メッセージを作成して送信する場合に、前記送信先データに基づいて前記メッセージを送信することになる。したがって、サブコンテンツを提供する者が所望する送信先に前記メッセージを送信することができる。
【００３０】  なお、前記送信先データは、前記コンテンツに対応するものであってもよい。この場合、コンテンツごとにメッセージの送信先を変更することができる。その結果、メッセージの送信先からコンテンツを特定することができる。
【００３１】  本発明に係るマルチメディアコンテンツ送信装置では、前記サブコンテンツは、前記マルチメディアコンテンツを再生する側において、前記メッセージを作成する場合の該メッセージの構造を示す構造データをさらに含むことが好ましい。この場合、メッセージの構造が予め規定されているので、メッセージを受信した装置がメッセージを容易に処理することができる。
【００３２】  本発明に係るマルチメディアコンテンツ受信装置は、或るコンテンツと該コンテンツに付随するサブコンテンツとを含むマルチメディアコンテンツを受信する受信手段を備えるマルチメディアコンテンツ受信装置であって、上記目的を達成するために、前記受信手段は、前記コンテンツおよび前記サブコンテンツを、別々の通信経路で受信することを特徴としている。
【００３３】  また、本発明に係るマルチメディアコンテンツ受信装置の制御方法は、或るコンテンツと該コンテンツに付随するサブコンテンツとを含むマルチメディアコンテンツを受信するマルチメディアコンテンツ受信装置の制御方法であって、上記目的を達成するために、前記コンテンツおよび前記サブコンテンツを、別々の通信経路で受信するステップを含むことを特徴としている。
【００３４】  上記の構成および方法によると、マルチメディアコンテンツに含まれるコンテンツおよびサブコンテンツを、別々の通信経路で受信しているので、上述のように、従来よりも通信経路の負担を軽減することができる。また、或る通信経路が利用できない環境や場所において、別の通信経路を利用することによりコンテンツおよびサブコンテンツを送信できるようになる。
【００３５】  本発明に係るマルチメディアコンテンツ受信装置は、或るコンテンツと該コンテンツに付随するサブコンテンツとを含むマルチメディアコンテンツを受信する受信手段を備えるマルチメディアコンテンツ受信装置であって、上記目的を達成するために、前記受信手段は、前記コンテンツおよび前記サブコンテンツを、同じ通信経路で受信することを特徴としている。
【００３６】  また、本発明に係るマルチメディアコンテンツ受信装置の制御方法は、或るコンテンツと該コンテンツに付随するサブコンテンツとを含むマルチメディアコンテンツを受信するマルチメディアコンテンツ受信装置の制御方法であって、上記目的を達成するために、前記コンテンツおよび前記サブコンテンツを、別々の通信経路で受信するステップを含むことを特徴としている。
【００３７】  本発明に係るマルチメディアコンテンツ受信装置では、前記コンテンツおよび前記サブコンテンツは、非同期で受信されることが好ましい。この場合、コンテンツおよびサブコンテンツが同時に送信される可能性が低くなるので、従来よりも通信経路の負担を軽減することができる。また、サブコンテンツに記述された、双方向サービス等の各種サービスの提供を、コンテンツが提供される時間とは別のタイミングで行うことができる。
【００３８】  本発明に係るマルチメディアコンテンツ受信装置は、或るコンテンツと該コンテンツに付随するサブコンテンツとを含むマルチメディアコンテンツを受信する受信手段を備えるマルチメディアコンテンツ受信装置であって、上記目的を達成するために、前記受信手段は、自装置からの要求に無関係に送信され、或いは放送された前記サブコンテンツを受信することを特徴としている。
【００３９】  上記の構成によると、マルチメディアコンテンツ受信装置が要求することなく、前記サブコンテンツを受信できる。これにより、マルチメディアコンテンツ受信装置の利用者がサブコンテンツの要求を行う必要が無いので、前記利用者を煩わすことが無い。
【００４０】  なお、上述のマルチメディアコンテンツ受信装置において最も好適な例は、外部からデータ（マルチメディアコンテンツ）を受信する場合である。しかしながら、外部から受信したデータの代わりに、自装置に記憶されたデータ（マルチメディアコンテンツ）を用いてもよい。さらに、自装置に記憶されたデータは、外部から受信して記憶されたものでもよいし、出荷時から自装置に内蔵されたものであってもよい。
【００４１】  なお、前記受信手段が受信したサブコンテンツを再生するサブコンテンツ再生手段をさらに備えてもよい。さらに、前記受信手段が受信したコンテンツを再生するコンテンツ再生手段をさらに備えてもよい。
【００４２】  本発明に係るマルチメディアコンテンツ受信装置では、前記マルチメディアコンテンツに対するメッセージを作成する作成手段と、作成したメッセージを送信する送信手段とをさらに備えており、前記送信手段は、自装置が有する送信先データによって示される送信先に前記メッセージを送信することが好ましい。
【００４３】  上記の構成によると、マルチメディアコンテンツに対するメッセージを、マルチメディアコンテンツ受信装置が有する送信先データに基づいて送信している。これにより、種々の送信先にメッセージを送信することができる。
【００４４】  なお、上記マルチメディアコンテンツ受信装置は、外部を含む異なる装置にデータ（メッセージ）を送信することが望ましい。
【００４５】  また、メッセージは、電子メールシステムまたは該システムに類似するデータ送信システムを利用して送信することが望ましい。この場合、既存のシステムを利用することができる。また、メッセージにメールアドレスを追加するのみでよいので、メッセージを簡便に送信することができる。
【００４６】  また、サービス要求側が有する送信先データとしては、サービス要求側で保存されているアドレス帳を利用したものであってもよいし、ユーザから入力されたデータであってあってもよい。
【００４７】  本発明に係るマルチメディアコンテンツ受信装置では、前記送信先データは、前記受信手段が受信したサブコンテンツに含まれていてもよい。この場合、マルチメディアコンテンツ受信装置は、前記サブコンテンツに含まれる送信先データに基づいてメッセージを送信することができる。これにより、マルチメディアコンテンツを提供する側、特にサブコンテンツを提供する側が所望する送信先に前記メッセージを送信することができる。
【００４８】  本発明に係るマルチメディアコンテンツ受信装置では、前記作成手段は、前記受信手段が受信したサブコンテンツに含まれる構造データによって示されるメッセージの構造に基づいてメッセージを作成することが好ましい。この場合、メッセージの構造が予め規定されており、メッセージ送信装置がメッセージの構造を規定する必要がないので、メッセージの作成を簡便に行うことができる。
【００４９】  なお、サービス提供側に、マルチメディアコンテンツを送信する上記構成のマルチメディアコンテンツ送信装置と、メッセージを受信する上記構成のメッセージ受信装置とを備え、サービス要求側に、マルチメディアコンテンツを受信し、受信したマルチメディアコンテンツのサブコンテンツに基づいてメッセージを作成して送信する上記構成のマルチメディアコンテンツ受信装置を備える双方向サービスシステムであれば、上述と同様の効果を奏することができる。
【００５０】  また、上記構成の双方向サービスシステムにおいて、前記マルチメディアコンテンツ送信装置が、前記マルチメディアコンテンツに含まれるコンテンツおよびサブコンテンツを前記マルチメディアコンテンツ受信装置に、別々の通信経路で或いは同じ通信経路で送信するステップと、前記マルチメディアコンテンツ受信装置が、前記サービス要求側が有する送信先データに基づいて前記メッセージを送信するステップとを含む双方向サービスシステムの制御方法であれば、上述と同様の効果を奏することができる。
【００５１】  なお、上記マルチメディアコンテンツ送信装置の制御方法における各ステップをマルチメディアコンテンツ送信装置制御プログラムによりコンピュータ上で実行させることができる。また、上記マルチメディアコンテンツ受信装置の制御方法における各ステップをマルチメディアコンテンツ受信装置制御プログラムによりコンピュータ上で実行させることができる。また、上記双方向サービスシステムの制御方法における各ステップを双方向サービスシステム制御プログラムによりコンピュータ上で実行させることができる。
【００５２】  さらに、上記マルチメディアコンテンツ送信装置制御プログラムをコンピュータ読取り可能な記録媒体に記憶させることにより、任意のコンピュータ上で上記マルチメディアコンテンツ送信装置制御プログラムを実行させることができる。また、上記マルチメディアコンテンツ受信装置制御プログラムをコンピュータ読取り可能な記録媒体に記憶させることにより、任意のコンピュータ上で上記マルチメディアコンテンツ受信装置制御プログラムを実行させることができる。また、上記双方向サービスシステム制御プログラムをコンピュータ読取り可能な記録媒体に記憶させることにより、任意のコンピュータ上で上記双方向サービスシステム制御プログラムを実行させることができる。
【００５３】  本発明に係る双方向サービスシステムは、以上のように、マルチメディアコンテンツに含まれるコンテンツおよびサブコンテンツを、別々の通信経路で送信しているので、従来よりも通信経路の負担を軽減できるという効果を奏する。
【図面の簡単な説明】
【００５４】
【図１】本発明の一実施形態である双方向サービスシステムの概略構成を示すブロック図である。
【図２】上記双方向サービスシステムにおけるＡＶコンテンツ作成装置の概略構成を示すブロック図である。
【図３】上記双方向サービスシステムにおけるＡＶコンテンツ合成・送信装置の概略構成を示すブロック図である。
【図４】上記双方向サービスシステムにおける携帯電話端末の概略構成を示すブロック図である。
【図５】上記双方向サービスシステムにおけるＡＶコンテンツ関連サービス提供装置の概略構成を示すブロック図である。
【図６】上記双方向サービスシステムにて利用されるＡＶコンテンツのデータ構成を示す図である。
【図７】上記ＡＶコンテンツに含まれるサブコンテンツの一例を、ＸＭＬ形式で記述したデータで示す図である。
【図８】上記サブコンテンツに含まれるＨＴＭＬ文書の一例を、ＨＴＭＬ形式で記述したデータで示す図である。
【図９（ａ）】上記ＡＶコンテンツに基づく表示画面の一例を示す図であって、メイン画面を示す図である。
【図９（ｂ）】上記ＡＶコンテンツに基づく表示画面の一例を示す図であって、検索画面を示す図である。
【図１０】上記ＡＶコンテンツに含まれるＡＶデータおよびサブコンテンツの送信タイミングを示すタイミングチャートである。
【図１１】上記携帯電話端末が作成するメッセージの構造と該メッセージの一例とを示す図である。
【図１２】上記携帯電話端末が行う処理動作を示すフローチャートである。
【図１３】上記双方向サービスシステムに含まれる各装置における処理と、装置間におけるデータの流れとを示す処理シーケンスである。
【図１４】本発明の別の実施形態である双方向サービスシステムの概略構成を示すブロック図である。
【図１５】上記双方向サービスシステムにおけるＡＶコンテンツ作成・送信装置の概略構成を示すブロック図である。
【図１６】上記双方向サービスシステムにおけるＡＶコンテンツ再生装置の概略構成を示すブロック図である。
【図１７】上記双方向サービスシステムにおけるＡＶコンテンツ関連サービス提供装置の概略構成を示すブロック図である。
【図１８】上記双方向サービスシステムにて利用される番組ＩＤおよびシーンＩＤの一例を示すタイムチャートである。
【図１９】上記ＡＶコンテンツに含まれるサブコンテンツの一例を、ＸＭＬ形式で記述したデータで示す図である。
【図２０】上記サブコンテンツに含まれるＨＴＭＬ文書の一例を、ＨＴＭＬ形式で記述したデータで示す図である。
【図２１（ａ）】上記ＡＶコンテンツに基づく表示画面の一例を示す図である。
【図２１（ｂ）】上記ＡＶコンテンツに基づく表示画面の一例を示す図である。
【図２２】上記ＡＶコンテンツ再生装置が作成するメッセージの構造と該メッセージの一例とを示す図である。
【図２３】上記ＡＶコンテンツ再生装置が行う処理動作を示すフローチャートである。
【図２４】上記処理動作におけるメッセージの作成および送信の処理の詳細を示すフローチャートである。
【図２５】上記双方向サービスシステムの変形例の概略構成を示すブロック図である。
【図２６】上記双方向サービスシステムの他の変形例の概略構成を示すブロック図である。
【図２７】上記ＡＶコンテンツに含まれるサブコンテンツの別の例を、ＸＭＬ形式で記述したデータで示す図である。
【図２８】上記サブコンテンツに含まれるＨＴＭＬ文書の一例を、ＨＴＭＬ形式で記述したデータで示す図である。
【図２９】上記ＡＶコンテンツに基づく表示画面の一例を示す図である。
【図３０】上記ＡＶコンテンツに含まれるサブコンテンツの他の例を、ＸＭＬ形式で記述したデータで示す図である。
【図３１】本発明のさらに別の実施形態である双方向サービスシステムの概略構成を示すブロック図である。
【図３２】上記双方向サービスシステムにおけるＡＶコンテンツ作成・送信装置の概略構成を示すブロック図である。
【図３３】上記双方向サービスシステムにおけるサブコンテンツ再生装置の概略構成を示すブロック図である。
【図３４】上記双方向サービスシステムにおけるＡＶデータ再生装置の概略構成を示すブロック図である。
【図３５】上記双方向サービスシステムにおけるＡＶコンテンツ関連サービス提供装置の概略構成を示すブロック図である。
【図３６】上記サブコンテンツの一例を、ＸＭＬ形式で記述したデータで示す図である。
【図３７】上記サブコンテンツに含まれるＨＴＭＬ文書の一例を、ＨＴＭＬ形式で記述したデータで示す図である。
【図３８（ａ）】ＡＶデータに基づく表示画面の一例を示す図である。
【図３８（ｂ）】サブコンテンツに基づく表示画面の一例を示す図である。
【図３９】上記サブコンテンツ再生装置が作成するメッセージの構造と該メッセージの一例とを示す図である。
【図４０】上記サブコンテンツ再生装置が行う処理動作を示すフローチャートである。
【図４１】上記ＡＶデータ再生装置が行う処理動作を示すフローチャートである。
【図４２】本発明の他の実施形態である双方向サービスシステムの概略構成を示すブロック図である。
【図４３】上記双方向サービスシステムにて利用されるサブコンテンツの一例を、ＸＭＬ形式で記述したデータで示す図である。
【図４４】上記サブコンテンツに含まれるＨＴＭＬ文書の一例を、ＨＴＭＬ形式で記述したデータで示す図である。
【図４５（ａ）】上記ＡＶコンテンツに基づく表示画面の一例を示す図であって、メイン画面を示す図である。
【図４５（ｂ）】上記ＡＶコンテンツに基づく表示画面の一例を示す図であって、質問画面を示す図である。
【図４６】図５に示されるＡＶコンテンツ関連サービス提供装置における番組情報格納部に格納される番組情報の一例を表形式で示す図である。
【図４７】上記ＡＶコンテンツ関連サービス提供装置における入力内容格納部に格納されるデータベースの一例を表形式で示す図である。
【図４８】上記ＡＶコンテンツ関連サービス提供装置における店舗情報格納部に格納されるデータベースの一例を表形式で示す図である。
【図４９】上記ＡＶコンテンツ関連サービス提供装置が行う処理動作を示すフローチャートである。
【図５０】ＭＭＳメッセージテンプレートを利用した場合における上記サブコンテンツの構造を示す図である。
【図５１】上記ＭＭＳメッセージテンプレートに含まれるメッセージテンプレートの一例を、ＸＭＬ形式で記述したデータで示す図である。
【符号の説明】
【００５５】  １０・７０・１００・１２０    双方向サービスシステム
１１    ＡＶコンテンツ作成装置（マルチメディアコンテンツ作成装置）
１２    ＡＶコンテンツ合成・送信装置（マルチメディアコンテンツ送信装置、マルチメディアコンテンツ作成装置）
１４    携帯電話端末（マルチメディアコンテンツ再生装置、メッセージ送信装置）
１５・７５・１０５・１２５    ＡＶコンテンツ関連サービス提供装置（メッセージ受信装置）
２２・８３    ＡＶコンテンツ作成部（作成手段）
２３・３４・８５    ＡＶコンテンツ送信部（マルチメディアコンテンツ送信手段）
３２    ＡＶコンテンツ合成部（作成手段）
３６    番組情報送信部（コンテンツ識別用情報送信手段）
４４    ＡＶコンテンツ受信部（受信手段）
４５    通信部（受信手段）
５０・９２    ＡＶコンテンツ解析部（サブコンテンツ取得手段、コンテンツ取得手段）
５２    レイアウト指示部（切替手段）
５４    再生部（サブコンテンツ再生手段、コンテンツ再生手段）
５５    メッセージ作成部（作成手段、送信手段）
６０    番組情報受信部（取得手段）
６１    メッセージ受信部（受信手段）
６２・９６    メッセージ解析部（取得手段）
６３    番組情報判断部（識別手段）
６４・９７    入力内容格納部（格納手段）
６６    メッセージ応答部（提供手段）
７２・１０２・１２３    ＡＶコンテンツ作成・送信装置（マルチメディアコンテンツ送信装置、マルチメディアコンテンツ作成装置）
７４・１２４    ＡＶコンテンツ再生装置（マルチメディアコンテンツ再生装置、メッセージ送信装置）
７７    ＡＶコンテンツ再生装置（マルチメディアコンテンツ再生装置）
８６    ＩＤ送信部（コンテンツ識別用情報送信手段）
９３    サブコンテンツ転送部（サブコンテンツ送信手段）
９４・１１７    サブコンテンツ取得部（サブコンテンツ取得手段）
９５    ＩＤ受信部（取得手段）
１０４    ＡＶデータ再生装置（コンテンツ再生装置）
１０７    サブコンテンツ再生装置（メッセージ送信装置）
１１３    番組放送情報送信部（コンテンツ識別用情報送信手段）
１１８    ＡＶデータ再生指示部（再生指示情報送信手段）
Ｄ１０    ＡＶコンテンツ（マルチメディアコンテンツ）
Ｄ１１    ＡＶデータ（コンテンツ）
Ｄ１２・Ｄ２２・Ｄ３２・Ｄ４２    サブコンテンツ
Ｄ１４    メッセージ送信先情報（送信先データ）
Ｄ１５    メッセージ構造情報（構造データ）
Ｄ１８    ＡＶデータ識別情報（コンテンツ識別用情報）
【発明を実施するための最良の形態】
【００５６】  〔実施の形態１〕
以下、本発明の一実施形態について図１〜図１３を参照しつつ説明する。図１は、本実施形態である双方向サービスシステムの概略構成を示している。この双方向サービスシステム１０は、携帯電話端末がＣＭを表示している時に、ＣＭで宣伝されている店舗であって、携帯電話端末の近くに位置する店舗を検索できるサービスを提供するものである。また、図１３は、双方向サービスシステム１０に含まれる装置における処理と、装置間におけるデータの流れとを示す処理シーケンスである。【００５７】  図１に示されるように、双方向サービスシステム１０は、ＡＶコンテンツ作成装置１１と、ＡＶコンテンツ合成・送信装置１２と、１または複数の携帯電話端末（ＡＶコンテンツ再生装置）１４と、ＡＶコンテンツ関連サービス提供装置１５とが、通信ネットワーク１６を介して通信可能に接続した構成である。また、携帯電話端末１４は、ＡＶコンテンツ合成・送信装置１２から中継局１３を介してＡＶコンテンツ（マルチメディアコンテンツ）を受信して再生する機能を有している。【００５８】  なお、本実施形態では、ＡＶコンテンツ作成装置１１およびＡＶコンテンツ関連サービス提供装置１５は、ＣＭの制作事業者が所有し、ＡＶコンテンツ合成・送信装置１２および中継局１３は、放送事業者が所有し、携帯電話端末１４は、視聴者が所有するものである。また、通信ネットワーク１６としては、移動体通信網、電話回線網、インターネット、ＬＡＮ（Ｌｏｃａｌ  Ａｒｅａ  Ｎｅｔｗｏｒｋ）など、公知の通信ネットワークを利用することができる。【００５９】  ＡＶコンテンツ作成装置１１は、ＣＭの映像および音声として再生されるためのＣＭ用ＡＶデータとサブコンテンツとを含むＡＶコンテンツを作成し（図１３のＳ１０）、作成したＡＶコンテンツを、通信ネットワーク１６を介してＡＶコンテンツ合成・送信装置１２に送信する（図１３のＳ１１）。【００６０】  ＡＶコンテンツ合成・送信装置１２は、ＡＶコンテンツ作成装置１１から受信したＡＶコンテンツに、ＴＶ番組の映像および音声として再生されるための番組用ＡＶデータを合成し（図１３のＳ１２）、ＡＶコンテンツを放送する時刻を示す番組情報をＡＶコンテンツ関連サービス提供装置１５に送信する（図１３のＳ１３）。そして、ＡＶコンテンツ合成・送信装置１２は、合成後のＡＶコンテンツを所定の時間帯に中継局１３を介して放送する（図１３のＳ１４）。【００６１】  ＡＶコンテンツは、ＡＶデータと該ＡＶデータに付随するサブコンテンツとを含む構成である。また、サブコンテンツは、ＡＶデータに関連付けて再生される再生データを含んでもよいし、ＡＶデータとは独立して再生される再生データを含んでもよい。また、サブコンテンツは、再生データを１つ含んでもよいし、複数含んでもよい。【００６２】  本実施形態では、ＡＶデータは、ＣＭ用ＡＶデータおよび番組用ＡＶデータを合成したＡＶデータであり、受信したデータをリアルタイムで再生するストリーミングデータである。また、サブコンテンツは、ＣＭ用ＡＶデータに付随するものであり、ＣＭを表示するＣＭ画面と検索を行う検索画面とを切り替える表示レイアウトを指定するレイアウト指定データと、携帯電話端末１４からＡＶコン��ンツ関連サービス提供装置１５に送信するメッセージの構造および送信先を示す送信先データと、ＡＶデータを特定するデータとを含んでいる。なお、番組用ＡＶデータに付随するサブコンテンツをＡＶコンテンツに含んでもよい。【００６３】  本実施形態では、携帯電話端末１４は、ＧＰＳ（Ｇｌｏｂａｌ  Ｐｏｓｉｔｉｏｎｉｎｇ  Ｓｙｓｔｅｍｓ）を利用して自端末の位置する緯度経度情報を取得する機能を有している。携帯電話端末１４は、ＡＶコンテンツ合成・送信装置１２からのＡＶコンテンツを受信すると、受信したＡＶコンテンツを再生する。すなわち、携帯電話端末１４は、指定された表示レイアウトに基づいて、ＣＭ画面および検索画面の何れか一方を再生表示し、ユーザの操作に基づいて他方に切り替える（図１３のＳ１５）。【００６４】  このとき、視聴者（携帯電話端末１４のユーザ）が、検索画面上の検索ボタンを押すと、携帯電話端末１４は、メッセージの構造を示すデータに基づいてメッセージを作成する（図１３のＳ１６）。このメッセージには、ＡＶコンテンツ再生装置７４に予め設定された個人情報（例えば住所、氏名など）およびメールアドレスと、現在の携帯電話端末１４の位置情報と、ＣＭを特定する情報とが含まれる。本実施形態では、ＣＭを特定する情報として、視聴中のチャンネル情報と、検索画面に切り替えた画面切替時刻情報とを利用している。そして、携帯電話端末１４は、作成したメッセージをメッセージの送信先（図示の例ではＡＶコンテンツ関連サービス提供装置１５）を示すデータに基づいて送信する（図１３のＳ１７）。【００６５】  ＡＶコンテンツ関連サービス提供装置１５は、携帯電話端末１４から受信したメッセージに基づいて店舗情報を検索し、検索結果を携帯電話端末１４に返信する。これにより、視聴者は、ＣＭで宣伝されている近くの店舗の場所を知ることができる。【００６６】  また、ＡＶコンテンツ作成装置１１が作成するＡＶコンテンツのサブコンテンツに、ＡＶコンテンツ関連サービス提供装置１５を送信先とする送信先データが含まれるので、ＣＭ制作業者が所望する装置にて携帯電話端末１４からのメッセージを受信することができる。その結果、ＣＭ制作業者は、メッセージの内容に基づく各種サービスを携帯電話端末１４のユーザに直接提供したり、その他、ＣＭに対する携帯電話端末１４のユーザの反応を直接収集したりすることができる。【００６７】  また、携帯電話端末１４のユーザは、メッセージの送信先を入力する必要がないので、入力する手間を省略できると共に、入力ミスによるメッセージの誤送を防止できる。【００６８】  次に、本実施形態の双方向サービスシステム１０における各構成の詳細について説明する。【００６９】  図２は、ＡＶコンテンツ作成装置１１の概略構成を示している。上述のように、ＡＶコンテンツ作成装置１１は、ＣＭの映像および音声として再生されるためのＣＭ用ＡＶデータと、該ＣＭ用ＡＶデータに付随するサブコンテンツとを含むＡＶコンテンツを作成するものである。図示のように、ＡＶコンテンツ作成装置１１は、ＡＶデータ格納部２０、サブコンテンツ格納部２１、ＡＶコンテンツ作成部２２、およびＡＶコンテンツ送信部２３を備える構成である。【００��０】  ＡＶデータ格納部２０は、ＣＭ制作業者が予め作成した１または複数のＣＭ用ＡＶデータを格納するものである。また、サブコンテンツ格納部２１は、ＣＭ用ＡＶデータに付随する各種のサブコンテンツをＣＭ制作業者が予め作成して格納するものである。ＡＶデータ格納部２０およびサブコンテンツ格納部２１は、例えばＨＤＤ（ハードディスクドライブ）などの記憶装置によって構成される。なお、サブコンテンツの詳細については後述する。【００７１】  ＡＶコンテンツ作成部２２は、ＡＶデータ格納部２０から所望のＣＭ用ＡＶデータを取り出し、該ＣＭ用ＡＶデータに対応するサブコンテンツをサブコンテンツ格納部２１から取り出して、ＣＭ用ＡＶデータとサブコンテンツとを含むＡＶコンテンツを作成するものである。ＡＶコンテンツ作成部２２は、作成したＡＶコンテンツをＡＶコンテンツ送信部２３に送信する。ＡＶコンテンツ作成部２２は、例えばＲＡＭやフラッシュメモリなどの記憶装置に記憶されたプログラムをＣＰＵが実行することによって実現される。【００７２】  ＡＶコンテンツ送信部２３は、ＡＶコンテンツ作成部２２から受信したＡＶコンテンツを、通信ネットワーク１６を介してＡＶコンテンツ合成・送信装置１２に送信するものである。【００７３】  なお、サブコンテンツ格納部２１は、メッセージ送信先が特定されていないサブコンテンツと、ＣＭ用ＡＶデータに対応するメッセージ送信先とを予め作成して格納してもよい。この場合、ＡＶコンテンツ作成部２２が、ＡＶデータ格納部２０から所望のＣＭ用ＡＶデータを取り出し、該ＣＭ用ＡＶデータに対応するメッセージ送信先と、上記サブコンテンツとをサブコンテンツ格納部２１から取り出して、上記サブコンテンツにメッセージ送信先を組み込み、組み込んだサブコンテンツとＣＭ用ＡＶデータとを含むＡＶコンテンツを作成すればよい。【００７４】  これにより、ＣＭ制作業者は、メッセージ送信先をＣＭによって変更させることができるので、ＣＭごとに異なるサービスを提供したり、ユーザの反応をＣＭごとに収集したりすることができる。【００７５】  図３は、ＡＶコンテンツ合成・送信装置１２の概略構成を示している。上述のように、ＡＶコンテンツ合成・送信装置１２は、ＡＶコンテンツ作成装置１１から受信したＡＶコンテンツに、ＴＶ番組の映像および音声として再生されるための番組用ＡＶデータを合成し、合成後のＡＶコンテンツを所定の時間帯に中継局１３を介して放送するものである。図示のように、ＡＶコンテンツ合成・送信装置１２は、ＡＶコンテンツ受信部３０、ＡＶデータ格納部３１、ＡＶコンテンツ合成部３２、タイマ部３３、ＡＶコンテンツ送信部３４、番組情報作成部３５、および番組情報送信部３６を備える構成である。【００７６】  ＡＶコンテンツ受信部３０は、ＡＶコンテンツ作成装置１１から通信ネットワーク１６を介してＡＶコンテンツを受信するものである。ＡＶコンテンツ受信部３０は、受信したＡＶコンテンツをＡＶコンテンツ合成部３２に送信する。【００７７】  ＡＶデータ格納部３１は、放送事業者が予め作成した１または複数の番組用ＡＶデータを格納するものである。ＡＶデータ格納部３１は、例えばＨＤＤ（ハードディスクドライブ）など���記憶装置によって構成される。【００７８】  ＡＶコンテンツ合成部３２は、ＡＶデータ格納部３１から所望の番組用ＡＶデータを取り出し、取り出した番組用ＡＶデータに、ＡＶコンテンツ作成装置１１から通信ネットワーク１６およびＡＶコンテンツ受信部３０を介して受信したＡＶコンテンツを合成するものである。具体的には、番組用ＡＶデータの間にＣＭ用ＡＶデータが挿入される。このとき、番組の放送時間帯と、ＣＭの放送時間帯とが特定される。【００７９】  ＡＶコンテンツ合成部３２は、合成後のＡＶコンテンツをＡＶコンテンツ送信部３４に送信する。また、ＡＶコンテンツ合成部３２は、特定された番組およびＣＭの放送時間帯の情報を番組情報作成部３５に送信する。ＡＶコンテンツ合成部３２は、例えばＲＡＭやフラッシュメモリなどの記憶装置に記憶されたプログラムをＣＰＵが実行することによって実現される。【００８０】  なお、ＡＶコンテンツ受信部３０とＡＶコンテンツ合成部３２との間には、ＡＶコンテンツ作成装置１１からのＡＶコンテンツを格納するＡＶコンテンツ格納部（図示せず）を設けることが好ましい。この場合、ＡＶコンテンツ合成部３２は、所望のタイミングで、上記番組用ＡＶデータと、ＡＶコンテンツ作成装置１１からのＡＶコンテンツとを合成することができる。【００８１】  タイマ部３３は、時刻を計測するものである。タイマ部３３は、計測した時刻情報をＡＶコンテンツ送信部３４に送信する。【００８２】  ＡＶコンテンツ送信部３４は、ＡＶコンテンツ合成部３２から受信したＡＶコンテンツを、タイマ部３３から受信した時刻情報に基づいて中継局１３に送信するものである。これにより、中継局１３からＡＶコンテンツが放送される。図１０は、ＡＶコンテンツに含まれるＡＶデータおよびサブコンテンツの送信タイミングを示している。図示のように、ＡＶコンテンツ合成・送信装置１２は、ＡＶデータをストリームデータとして常時送信する一方、サブコンテンツを種々のタイミングで送信する。【００８３】  図３に戻ると、番組情報作成部３５は、ＡＶコンテンツ合成部３２から受信した番組およびＣＭの放送時間帯の情報に基づいて、番組情報を作成するものである。番組情報作成部３５は、作成した番組情報を番組情報送信部３６に送信する。【００８４】  番組情報送信部３６は、番組情報作成部３５から受信した番組情報を、通信ネットワーク１６を介してＡＶコンテンツ関連サービス提供装置１５に送信するものである。【００８５】  図４は、携帯電話端末１４の概略構成を示している。図示のように、携帯電話端末１４は、制御部４０、記憶部４１、入力部４２、出力部４３、ＡＶコンテンツ受信部４４、通信部４５、および位置情報取得部４６を備える構成である。【００８６】  制御部４０は、携帯通信端末１４における各種構成を統括的に制御するものである。制御部４０の機能は、例えばＲＡＭやフラッシュメモリなどの記憶装置に記憶されたプログラムをＣＰＵが実行することによって実現される。なお、制御部４０の詳細については後述する。【００８７】  記憶部４１は、各種情報を記憶するものである。記憶部４１は、例えばフラッシュメモリ、ＨＤＤなどによって構成される。本実施形態では、記憶部４１��、端末設定情報４７が記憶される。端末設定情報４７には、ユーザの住所、氏名、年齢、職業などの個人識別情報や、携帯電話端末１４の電話番号、電子メールアドレスなどの端末識別情報が含まれる。【００８８】  入力部４２は、ユーザからの選択情報、指示情報、文字情報などの各種情報の入力を受け付けるものであり、例えば、キーボード、テンキー、ポインティングデバイスなどが挙げられる。入力部４２は、ユーザの入力に基づいて入力信号を作成し、制御部４０に送信する。【００８９】  出力部４３は、文字、画像、音声などの各種情報を外部に出力するものである。具体的には、出力部４３は、文字や画像などの各種情報を表示出力するＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、ＰＤＰ（Ｐｌａｓｍａ  Ｄｉｓｐｌａｙ  Ｐａｎｅｌ）などの表示デバイスと、イヤホン、スピーカなどの音声出力デバイスとによって構成される。ユーザは、出力部４３が表示出力する画像（静止画像および動画像を含む）や文字などを見ることができ、出力部４３が音声出力する音声や音楽を聴くことができる。【００９０】  ＡＶコンテンツ受信部４４は、中継局１３からＡＶコンテンツの電波を受信し、所定の処理を行って制御部４０に送信するものである。【００９１】  通信部４５は、制御部４０から受信したデータを、データ通信に適した形式に変換し、変換した信号を通信ネットワーク１６に送信するものである。また、通信部４５は、通信ネットワーク１６から受信した信号を元の形式に変換し、変換したデータを制御部４０に送信するものである。【００９２】  位置情報取得部４６は、携帯電話端末１４の現在の位置情報を取得するものである。位置情報取得部４６は、取得した位置情報を制御部４０に送信する。本実施形態では、位置情報を取得する方法として、ＧＰＳ（Ｇｌｏｂａｌ  Ｐｏｓｉｔｉｏｎｉｎｇ  Ｓｙｓｔｅｍｓ）を利用して現在の緯度経度情報を取得する方法を利用しているが、携帯電話端末１４の現在の住所をユーザが入力部４２を介して入力する方法、携帯電話端末１４と無線通信を行っている基地局の住所を利用する方法など、任意の方法を利用することができる。【００９３】  次に、制御部４０の詳細について説明する。図４に示されるように、制御部４０は、ＡＶコンテンツ解析部５０、ブラウザ部５１、レイアウト指示部５２、タイミング制御部５３、再生部５４、メッセージ作成部５５、および応答メッセージ取得部５６を備える構成である。【００９４】  ＡＶコンテンツ解析部５０は、ＡＶコンテンツ合成・送信装置１２から中継局１３およびＡＶコンテンツ受信部４４を介して取得したＡＶコンテンツを解析するものである。具体的には、ＡＶコンテンツ解析部５０は、取得したＡＶコンテンツからＡＶデータを識別して再生部５４に送信する。また、ＡＶコンテンツ解析部５０は、取得したＡＶコンテンツからサブコンテンツを識別してサブコンテンツの内容を解析し、解析結果に基づいて種々の指示をブラウザ部５１、レイアウト指示部５２、およびタイミング制御部５３に対して行う。【００９５】  図６は、本実施形態で利用されるＡＶコンテンツの構成を示している。図示のよ���に、ＡＶコンテンツＤ１０は、ＡＶデータＤ１１およびサブコンテンツＤ１２を含む構成である。さらに、サブコンテンツＤ１２は、画面の表示レイアウトに関する情報であるレイアウト情報Ｄ１３と、メッセージの送信先を示す情報であるメッセージ送信先情報Ｄ１４と、メッセージの構造を示す情報であるメッセージ構造情報Ｄ１５とを含む構成である。【００９６】  レイアウト情報Ｄ１３は、画面の表示レイアウトを指定するレイアウト指定情報Ｄ１６と、表示内容を指定する表示内容指定情報Ｄ１７とを含む構成である。また、メッセージ構造情報Ｄ１５は、ＡＶデータを特定する情報であるＡＶデータ識別情報（ＩＤ）Ｄ１８を含んでいる。【００９７】  図４に戻ると、ＡＶコンテンツ解析部５０は、レイアウトに関する情報をレイアウト指示部５２に送信し、ＨＴＭＬ文書およびメッセージに関する情報をブラウザ部５１に送信し、表示タイミングに関する情報をタイミング制御部５３に送信する。【００９８】  ブラウザ部５１は、サブコンテンツＤ１２に含まれるＨＴＭＬデータに基づいて表示データを作成する。また、ブラウザ部５１は、サブコンテンツＤ１２にて指定されたＵＲＬ（Ｕｎｉｆｏｒｍ  Ｒｅｓｏｕｒｃｅ  Ｌｏｃａｔｏｒ）に対し、通信部４５および通信ネットワーク１６を介して外部にアクセスし、ＨＴＭＬデータ、画像データなどの各種データを外部から取得し、取得したデータに基づいて表示データを作成する。ブラウザ部５１は、作成した表示データを再生部５４に送信する。さらに、ブラウザ部５１は、入力部４２からの指示に基づき、サブコンテンツＤ１２に含まれるメッセージに関する情報をメッセージ作成部５５に送信する。【００９９】  レイアウト指示部５２は、ＡＶコンテンツ解析部５０から受信したレイアウトに関する情報に基づいて、再生部５４に対し表示レイアウトを指示するものである。また、タイミング制御部５３は、ＡＶコンテンツ解析部５０から受信した表示タイミングに関する情報に基づいて、再生部５４に対し表示タイミングを制御するものである。この表示タイミングの制御は、サブコンテンツ内に複数の表示内容の指定があり、時間とともに表示内容の指定が変化する場合に行われる。【０１００】  再生部５４は、ＡＶコンテンツ解析部５０から受信したＡＶデータをデコードし、デコードしたデータと、ブラウザ部５１から受信した表示データとを、レイアウト指示部５２からの指示と、タイミング制御部５３からの制御に基づいて再生するものである。再生部５４は、再生したデータを出力部４３に送信することにより表示出力される。【０１０１】  メッセージ作成部５５は、ブラウザ部５１から受信したメッセージに関する情報と、記憶部４１に記憶された端末設定情報４７と、位置情報取得部４６が取得した緯度経度情報とに基づいてメッセージを作成するものである。メッセージ作成部５５は、作成したメッセージを、通信部４５および通信ネットワーク１６を介して、ＡＶコンテンツ関連サービス提供装置１５に送信する。【０１０２】  応答メッセージ取得部５６は、メッセージ作成部５５が作成したメッセージの応答としてＡＶコンテンツ関連サービス提供装置１５が作成した応答メッセージを、通信ネットワーク１６および���信部４５を介して取得するものである。応答メッセージ取得部５６は、取得したメッセージを、ブラウザ部５１、再生部５４、および出力部４３を介してユーザに出力する。【０１０３】  図５は、ＡＶコンテンツ関連サービス提供装置１５の概略構成を示している。図示のように、ＡＶコンテンツ関連サービス提供装置１５は、番組情報受信部６０、メッセージ受信部６１、メッセージ解析部６２、番組情報判断部６３、入力内容格納部６４、店舗情報格納部６５、メッセージ応答部６６、および番組情報格納部６７を備える構成である。【０１０４】  番組情報受信部６０は、ＡＶコンテンツ合成・送信装置１２が作成した番組情報を、通信ネットワーク１６を介して受信するものである。番組情報受信部６０は、受信した番組情報を番組情報格納部６７に送信する。【０１０５】  番組情報格納部６７は、番組情報受信部６０から受信した番組情報を格納するものである。図４６は、番組情報格納部６７に格納される番組情報の一例を表形式で示している。図示のように、番組情報には、放送日時、放送時間、チャンネル識別子、および商品名を含んでおり、このような番組情報が、ＡＶコンテンツ合成・送信装置１２からＡＶコンテンツ関連サービス提供装置１５に送られることになる。なお、ＣＭ制作業者が１つの商品のＣＭのみを作成している場合には、図示の商品名を省略することもできる。【０１０６】  なお、図４６に示されるチャンネル識別子は、チャンネルを特定するための一意のＩＤである。これは、放送事業者が、複数のチャンネルを利用して複数の番組を同時に放送している場合、何れのチャンネルでＡＶコンテンツ（ＣＭ）を放送する予定であるかを特定する必要があるためである。【０１０７】  したがって、放送事業者が１つのチャンネルのみを利用して放送を行う場合には、ＡＶコンテンツ合成・送信装置１２からＡＶコンテンツ関連サービス提供装置１５に送信する番組情報においてチャンネル識別子を省略することもできる。この場合、ＡＶコンテンツ関連サービス提供装置１５が、送信元の放送事業者を特定し、特定した放送事業者に対応するチャンネル識別子を番組情報に追加すればよい。また、チャンネル番号が地域によって変化することがない場合には、チャンネル識別子としてチャンネル番号を用いることができる。【０１０８】  メッセージ受信部６１は、携帯電話端末１４が作成したメッセージを、通信ネットワーク１６を介して受信するものである。メッセージ受信部６１は、受信したメッセージをメッセージ解析部６２に送信する。【０１０９】  メッセージ解析部６２は、メッセージ受信部６１から受信したメッセージを解析するものである。メッセージ解析部６２は、メッセージに含まれる各種情報を各種ブロックに送信する。具体的には、メッセージ解析部６２は、画面切替時刻情報およびチャンネル情報（チャンネル識別子）を番組情報判断部６３に送信し、端末設定情報４７および緯度経度情報を入力内容格納部６４に送信し、かつ、緯度経度情報および送信元のメールアドレスをメッセージ応答部６５に送信する。【０１１０】  番組情報判断部６３は、メッセージ解析部６２から受信した画面切替時刻情報およびチャンネル情報と、番組情報格納部６７に格納された番組情報とに基づいて、ＣＭを特定するものである。番組情報判断部６３は、特定したＣＭの情報と上記番組情報とを入力内容格納部６４に格納する。また、番組情報判断部６３は、特定したＣＭの情報をメッセージ応答部６６に送信する。【０１１１】  入力内容格納部６４は、メッセージ解析部６２から受信した端末設定情報４７および緯度経度情報と、番組情報判断部６３から受信したＣＭの情報および番組情報とを対応付けて格納するものである。これにより、ＣＭ制作業者は、何時放送されたＣＭを、何処に位置する視聴者が視聴して興味を持ったかを知ることができる。【０１１２】  図４７は、本実施形態において、入力内容格納部６４に格納されるデータベースの一例を表形式で示している。入力内容格納部６４には、ＣＭごとに異なるデータベースが格納されている。図示のデータベースは、コンビニ（コンビニエンスストア）「ナインファイブ」に関するデータベースの一例である。このデータベースには、メッセージに含まれるチャンネル情報（チャンネル識別子）、切替時刻情報、および緯度経度情報が格納されている。【０１１３】  店舗情報格納部６５は、店舗名などの店舗を特定する情報と、該店舗の緯度経度情報とを含む店舗情報を格納するものである。なお、入力内容格納部６４および店舗情報格納部６５は、例えばフラッシュメモリ、ＨＤＤなどの記憶装置によって構成される。【０１１４】  図４８は、本実施形態において、店舗情報格納部６５に格納されるデータベースの一例を表形式で示している。店舗情報格納部６５は、ＣＭごとに異なるデータベースが格納されている。図示のデータベースは、コンビニ「ナインファイブ」に関するデータベースの一例である。このデータベースには、店舗名と該店舗の位置する緯度および経度とが格納されている。【０１１５】  メッセージ応答部６６は、受信したメッセージの応答メッセージを作成するものである。メッセージ応答部６６は、作成した応答メッセージを、通信ネットワーク１６を介してメッセージの送信元の携帯電話端末１４に送信する。【０１１６】  本実施形態では、メッセージ応答部６６は、番組情報判断部６３が特定したＣＭの情報に基づいて、店舗情報を利用するＣＭであるかを判断する。店舗情報を利用するＣＭである場合、メッセージ応答部６６は、メッセージ解析部６２から受信した緯度経度情報に最も近い緯度経度情報を有する店舗を店舗情報格納部６５から検索し、検索した店舗の情報を応答メッセージとして、メッセージ解析部６２から受信した送信元メールアドレスに送信する。【０１１７】  なお、上記の検索は、メッセージに含まれる位置情報（緯度経度情報）と、店舗情報格納部６５に格納された位置情報とを比較して、メッセージに含まれる位置情報に最も近くに位置する店舗を選択することにより行ってもよいし、さらに道路情報を組み合わせて、メッセージに含まれる位置情報から最も移動距離の短い店舗を選択することにより行ってもよい。【０１１８】  図７は、サブコンテンツＤ１２の一例を示している。なお、図示の場合では、サブコンテンツＤ１２は、ＸＭＬ（ｅＸｔｅｎｓｉｂｌｅ  Ｍａｒｋｕｐ  Ｌａｎｇｕａｇｅ）形式で記述されているが、ＨＴＭＬ（Ｈｙｐｅｒ  Ｔｅ��ｔ  Ｍａｒｋｕｐ  Ｌａｎｇｕａｇｅ）形式、ＸＨＴＭＬ（ｅＸｔｅｎｓｉｂｌｅ  Ｈｙｐｅｒ  Ｔｅｘｔ  Ｍａｒｋｕｐ  Ｌａｎｇｕａｇｅ）形式、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）形式など、任意の記述形式またはその組合せによって記述することができる。また、図７に示される記述例は、本願発明の説明のために簡単な記述となっている。【０１１９】  本実施形態では、＜ｌａｙｏｕｔ＞タグ内にレイアウト指定情報Ｄ１６が記述されている。図示の例では、幅２４０ピクセル×高さ３２０ピクセル（ＱＶＧＡ（Ｑｕａｒｔｅｒ  Ｖｉｄｅｏ  Ｇｒａｐｈｉｃｓ  Ａｒｒａｙ））の画面において、高さ１８０ピクセルの上部領域と、高さ１４０ピクセルの下部領域と、全領域とが指定されている。【０１２０】  また、＜ｐａｒ＞タグ内に表示内容指定情報Ｄ１７が記述されている。図示の例では、メイン画面の表示内容指定情報Ｄ１７ａと、検索画面の表示内容指定情報Ｄ１７ｂと含んでいる。【０１２１】  メイン画面には、高さ１８０ピクセルの上部領域にＡＶデータに基づく映像（ｖｉｄｅｏ）が指定され、高さ１４０ピクセルの下部領域にＨＴＭＬ文書「ｍａｉｎ．ｈｔｍｌ」による内容が表示される。図９（ａ）は、メイン画面の表示内容指定情報Ｄ１７ａに基づいて表示されるメイン画面の一例を示している。図示のように、メイン画面では、上部領域にＡＶデータの内容（映像）が表示され、下部領域に、検索画面に切り替えるボタンである「店舗検索」ボタンが表示される。【０１２２】  一方、検索画面では、全領域にＨＴＭＬ文書「ｓｅａｒｃｈ．ｈｔｍｌ」による内容が表示される。図８は、上記ＨＴＭＬ文書「ｓｅａｒｃｈ．ｈｔｍｌ」の一例を示しており、図９（ｂ）は、検索画面の表示内容指定情報Ｄ１７ｂに基づいて表示されるメイン画面の一例を示している。図示のように、検索画面では、店舗の検索サービスの内容と、検索を指示するボタンである「ＯＫ」ボタンと、メイン画面に切り替えるボタンである「テレビ画面」ボタンとが表示される。【０１２３】  なお、上記のＨＴＭＬ文書「ｍａｉｎ．ｈｔｍｌ」・「ｓｅａｒｃｈ．ｈｔｍｌ」はサブコンテンツＤ１２に含まれている。これらのＨＴＭＬ文書は、図９（ａ）・（ｂ）から当業者が容易に作成できるので、本願ではその記載例を省略する。【０１２４】  図７に戻ると、＜ｍｅｓｓａｇｅ＞タグにメッセージ送信先情報Ｄ１４が記述され、＜ｍｅｓｓａｇｅ＞タグ内にメッセージ構造情報Ｄ１５が記述されている。本実施形態では、この＜ｍｅｓｓａｇｅ＞タグが、メッセージの雛形となる。【０１２５】  図示の例では、＜ｍｅｓｓａｇｅ＞タグには、ＡＶコンテンツ関連サービス提供装置１５の電子メールアドレスがメッセージ送信先情報Ｄ１４として記述されている。また、＜ｍｅｓｓａｇｅ＞タグ内には、＜ｃｈａｎｎｅｌ＞タグ、＜ｃｈａｎｇｅ＞タグ、＜ｇｐｓ＞タグ、および＜ｅｍａｉｌ＞タグが記述されている。なお、これらのタグ内には、メッセージを作成する時に情報が記述される。また、これらのタグは、情報（データ）の種類を識別するデータ識別情報となる。【０１２６】  ＜ｃｈａｎｎｅｌ＞タグ内には、ＴＶ番組のチャン��ルを示すチャンネル情報が記述され、＜ｃｈａｎｇｅ＞タグ内には、検索画面に切り替えた時刻を示す切替時刻情報が記述される。上記チャンネル情報および切替時刻情報がＡＶデータ識別情報Ｄ１８となる。【０１２７】  また、＜ｇｐｓ＞タグ内には、携帯電話端末１４の現在位置の緯度経度情報が記述される。そして、＜ｅｍａｉｌ＞タグ内には、メッセージ送信元情報が電子メールアドレスで記述される。【０１２８】  なお、上述のように、ＡＶコンテンツ作成装置１１のサブコンテンツ格納部２１に、メッセージ送信先が特定されていないサブコンテンツが格納される場合、メッセージ送信先情報Ｄ１４は、「ｓｅｎｄｔｏ＝“［ａｄｄｒｅｓｓ］”」となる。そして、ＡＶコンテンツ作成部２２が、メッセージ送信先が特定されていないサブコンテンツにメッセージ送信先を組み込むことにより、図７に示されるサブコンテンツＤ１２となる。【０１２９】  図１１は、携帯電話端末１４のメッセージ作成部５５が作成するメッセージの構造と該メッセージの一例とを示している。図示のように、ＡＶコンテンツ特定データ（ＡＶデータ識別情報）Ｄ１８として、＜ｃｈａｎｎｅｌ＞タグ内にチャンネル情報が記述され、＜ｃｈａｎｇｅ＞タグ内に切替時刻情報が記述される。また、入力内容として、＜ｇｐｓ＞タグ内に緯度経度情報が記述される。そして、端末利用者の個人情報として、＜ｅｍａｉｌ＞タグ内にメッセージ送信元情報が記述される。【０１３０】  図１２は、携帯電話端末１４が行う処理動作を示している。図示のように、まず、ＡＶコンテンツ受信部４４がＡＶコンテンツを受信すると（Ｓ２０）、制御部４０はＡＶコンテンツに含まれるＡＶデータを再生する（Ｓ２１）。【０１３１】  次に、制御部４０は、ユーザが画面の切替を要求したか否かを判断する（Ｓ２２）。画面の切替を要求しない場合には（Ｓ２２でＮＯ）、ステップＳ２１に戻って上記動作を繰り返す。一方、画面の切替を要求した場合には（Ｓ２２でＹＥＳ）、制御部４０は、画面の切替時刻を記憶し（Ｓ２３）、サブコンテンツにおける検索画面の表示を行い（Ｓ２４）、ユーザからの入力を受け付ける（Ｓ２５）。【０１３２】  次に、制御部４０は、ユーザが画面の切替を要求したか否かを判断する（Ｓ２６）。画面の切替を要求しない場合には（Ｓ２６でＮＯ）、ステップＳ２１に戻って上記動作を繰り返す。一方、画面の切替を要求した場合には（Ｓ２６でＹＥＳ）、制御部４０は、ユーザがメッセージの送信を要求したか否かを判断する（Ｓ２６ａ）。【０１３３】  メッセージの送信を要求しない場合には（Ｓ２６ａでＮＯ）、ステップＳ２５に戻って上記動作を繰り返す。一方、メッセージの送信を要求した場合には（Ｓ２６ａでＹＥＳ）、制御部４０は、メッセージの雛形に、ユーザからの入力を埋め込み（Ｓ２７）、端末設定情報および緯度経度情報を埋め込んで（Ｓ２８）、メッセージを作成し、作成したメッセージを送信する（Ｓ２９）。その後、ステップＳ２１に戻って上記動作を繰り返す。【０１３４】  図４９は、ＡＶコンテンツ関連サービス提供装置１５が行う処理動作を示している。なお、図示の処理動作を行う前に、ＡＶコンテンツ関連サービス提供装置１５は、番組情報受信部６０が、���Ｖコンテンツ合成・送信装置１２から番組情報を予め受信して番組情報格納部６７に格納する必要がある。【０１３５】  図４９に示されるように、まず、携帯電話端末１４が作成したメッセージを、通信ネットワーク１６を介してメッセージ受信部６１が受信すると（Ｔ２０）、メッセージ解析部６２が、上記メッセージを解析して、チャンネル情報および画面切替時刻情報を取得する（Ｔ２１）。次に、番組情報判断部６３が、上記チャンネル情報および画面切替時刻情報と、番組情報格納部６７に格納された番組情報とに基づいてＣＭを特定する（Ｔ２２）。次に、入力内容格納部６４は、番組情報判断部６３が特定したＣＭに対応するデータベースに、メッセージ解析部６２が取得したチャンネル情報および画面切替時刻情報などの入力内容を格納する（Ｔ２３）。【０１３６】  次に、メッセージ応答部６６は、番組情報判断部６３が特定したＣＭに対応する応答メッセージを作成し（Ｔ２４）、作成した応答メッセージを、通信ネットワーク１６を介してメッセージの送信元の携帯電話端末１４に送信する（Ｔ２５）。例えば、コンビニ「ナインファイブ」の場合、上述のように、店舗情報を検索し、その結果を応答メッセージとして送信する。その後、ＡＶコンテンツ関連サービス提供装置１５における処理動作を終了する。【０１３７】  〔実施の形態２〕
次に、本発明の別の実施形態について、図１４〜図２４、図５０、および図５１を参照しつつ説明する。図１４は、本実施形態である双方向サービスシステムの概略構成を示している。この双方向サービスシステム７０は、ユーザがＴＶ番組を見ながらアンケートに答えて懸賞に応募できるサービスを提供するものである。なお、上記実施形態で説明した構成および処理動作と同様の構成および処理動作には同一の符号を付して、その説明を省略する。【０１３８】  図１４に示されるように、双方向サービスシステム７０は、ＡＶコンテンツ作成・送信装置７２と、複数のＡＶコンテンツ再生装置７４・７７と、ＡＶコンテンツ関連サービス提供装置７５とが、通信ネットワーク１６を介して通信可能に接続した構成である。また、ＡＶコンテンツ再生装置７４は、ＡＶコンテンツ作成・送信装置７２から中継局１３を介してＡＶコンテンツを受信して再生する機能を有している。【０１３９】  なお、本実施形態では、図１に示されるＡＶコンテンツ作成装置１１およびＡＶコンテンツ合成・送信装置１２とを、１台のＡＶコンテンツ作成・送信装置７２に変更している。また、本実施形態では、ＡＶコンテンツ作成・送信装置７２Ｖコンテンツ関連サービス提供装置７５、および中継局１３は、放送事業者が所有し、ＡＶコンテンツ再生装置７４・７７は、視聴者が所有するものである。また、図示の例では、放送事業者からのＡＶコンテンツを受信して再生するＡＶコンテンツ再生装置７４は、ＴＶ放送受信機である。【０１４０】  ＡＶコンテンツ作成・送信装置７２は、番組用ＡＶデータとサブコンテンツとを含むＡＶコンテンツを作成し、作成したＡＶコンテンツを所定の時間帯に中継局１３を介して放送する。【０１４１】  本実施形態では、ＡＶデータは、放送事業者から受信したデータをリアルタイムで再生するストリーミングデータである。また、サブコンテンツは、画面の表示レイアウトを指定するレイアウト指定データと、アンケートの内容を記述したアンケートデータと、アンケートの回答をメッセージとして送信する場合におけるメッセージの構造および送信先を示す送信先データと、ＡＶデータを特定するデータとを含んでいる。【０１４２】  従って、ＡＶコンテンツ再生装置７４は、ＡＶコンテンツを受信すると、指定された表示レイアウトに基づいて、ＡＶデータに基づくＴＶ番組の映像と、アンケートデータに基づくアンケートの内容とが表示される。【０１４３】  このとき、視聴者（ＡＶコンテンツ再生装置７４のユーザ）が、アンケートの内容について入力し、画面上の送信ボタンを押すと、ＡＶコンテンツ再生装置７４は、メッセージの構造を示すデータに基づいてメッセージを作成する。このメッセージには、視聴者から入力された情報と、ＡＶコンテンツ再生装置７４に予め設定された個人情報（例えば住所、氏名など）と、ＴＶ番組内の或る場面を特定するための情報である番組ＩＤおよびシーンＩＤとが含まれる。そして、ＡＶコンテンツ再生装置７４は、作成したメッセージを、メッセージの送信先（図示の例ではＡＶコンテンツ関連サービス提供装置７５）を示すデータに基づいて送信する。【０１４４】  これにより、ＡＶコンテンツ作成・送信装置７２およびＡＶコン���ンツ関連サービス提供装置７５を有する放送事業者は、ＴＶ番組の放映中または放映直後に、ＴＶ番組に対するアンケートの回答を視聴者から収集することができる。【０１４５】  また、ＡＶコンテンツ作成・送信装置７２が作成するＡＶコンテンツのサブコンテンツに、ＡＶコンテンツ関連サービス提供装置７５を送信先とする送信先データが含まれるので、放送事業者が所望する装置にてＡＶコンテンツ再生装置７４からのメッセージを受信することができる。その結果、放送事業者は、番組に対する視聴者の反応を直接収集したり、メッセージの内容に基づく各種サービスを視聴者に直接提供したりすることができる。【０１４６】  また、ＡＶコンテンツ再生装置７４のユーザは、メッセージの送信先を入力する必要がないので、入力する手間を省略できると共に、入力ミスによるメッセージの誤送を防止できる。【０１４７】  また、本実施形態の双方向サービスシステム７０では、ＡＶコンテンツ再生装置７４は、ＡＶコンテンツに含まれるサブコンテンツを通信ネットワーク１６を介して別のＡＶコンテンツ再生装置７７に送信することもできる。上述のように、サブコンテンツには、ＡＶデータを特定するデータ（番組ＩＤ）が含まれる。【０１４８】  したがって、サブコンテンツを受信したＡＶコンテンツ再生装置７７は、サブコンテンツのみを再生することができる。また、ＡＶコンテンツ再生装置７７は、ＡＶデータを受信して再生する機能を有している場合、上記サブコンテンツに基づいてＡＶデータを再生することができる。なお、図１４に示される例では、ＡＶコンテンツ再生装置７７は、携帯電話端末である。【０１４９】  次に、本実施形態の双方向サービスシステム７０における各構成の詳細について説明する。【０１５０】  図１５は、ＡＶコンテンツ作成・送信装置７２の概略構成を示している。上述のように、ＡＶコンテンツ作成装置７２は、ＴＶ番組の映像および音声として再生されるための番組用ＡＶデータと、該番組用ＡＶデータに付随するサブコンテンツとを含むＡＶコンテンツを作成し、作成したＡＶコンテンツを所定の時間帯に中継局１３を介して放送するものである。図示のように、ＡＶコンテンツ作成・送信装置７２は、ＡＶデータ格納部８０、サブコンテンツ格納部８１、番組・シーンＩＤ設定部８２、ＡＶコンテンツ作成部８３、タイマ部８４、ＡＶコンテンツ送信部８５、およびＩＤ送信部８６を備える構成である。【０１５１】  ＡＶデータ格納部８０は、放送事業者が予め作成した１または複数の番組用ＡＶデータを格納するものである。また、サブコンテンツ格納部８１は、番組用ＡＶデータに付随する各種のサブコンテンツを放送事業者が予め作成して格納するものである。ＡＶデータ格納部８０およびサブコンテンツ格納部８１は、例えばＨＤＤ（ハードディスクドライブ）などの記憶装置によって構成される。なお、サブコンテンツの詳細については後述する。【０１５２】  番組・シーンＩＤ設定部８２は、番組を特定するための番組ＩＤと、番組内のシーンを特定するためのシーンＩＤとを設定するものである。番組・シーンＩＤ設定部８２は、設定された番組ＩＤおよびシーンＩＤをＡＶコンテンツ作成部８３およびＩＤ送信部８６に送信する。ＩＤ送信部８６は、番組・シーンＩＤ設定部８２から受信した番組ＩＤおよびシーンＩＤを、ＡＶコンテンツ関連サービス提供装置７５に送信するものである。【０１５３】  図１８は、番組ＩＤおよびシーンＩＤの一例を示すものである。図示では、或る時間帯（１９時〜２１時）に３つのチャンネルで放送される番組の番組名および番組ＩＤが記載され、或る番組で放送されるシーンのシーン名およびシーンＩＤが記載されている。図示の例では、番組ＩＤとして、西暦と、月日と、番組名の略称とを組み合わせたものである。一方、シーンＩＤは、シーン名の略称からなるものである。【０１５４】  なお、上記番組ＩＤが、他のチャンネルの番組ＩＤと同じである可能性がある。しかしながら、この場合には、他のチャンネルの番組に対するメッセージの送信先は、別の放送事業者となるので、双方向サービスの提供に影響を及ぼす可能性は低いと考えられる。【０１５５】  図１５に戻って、ＡＶコンテンツ作成部８３は、ＡＶデータ格納部８０から所望の番組用ＡＶデータを取り出し、該番組用ＡＶデータに対応するサブコンテンツをサブコンテンツ格納部８１から取り出して、番組用ＡＶデータとサブコンテンツとを含むＡＶコンテンツを作成するものである。また、ＡＶコンテンツ作成部８３は、ＡＶコンテンツにおけるサブコンテンツ内に、番組・シーンＩＤ設定部８２から受信した番組ＩＤおよびシーンＩＤを追加する。ＡＶコンテンツ作成部８３は、作成したＡＶコンテンツをＡＶコンテンツ送信部８５に送信する。番組・シーンＩＤ設定部８２およびＡＶコンテンツ作成部８３は、例えばＲＡＭやフラッシュメモリなどの記憶装置に記憶されたプログラムをＣＰＵが実行することによって実現される。【０１５６】  タイマ部８４は、時刻を計測するものである。タイマ部８４は、計測した時刻情報をＡＶコンテンツ送信部８５に送信する。ＡＶコンテンツ送信部８５は、ＡＶコンテンツ作成部８３から受信したＡＶコンテンツを、タイマ部８４から受信した時刻情報に基づいて中継局１３に送信するものである。これにより、中継局１３からＡＶコンテンツが放送される。【０１５７】  図１６は、ＡＶコンテンツ再生装置７４・７７の概略構成を示している。本実施形態のＡＶコンテンツ再生装置７４・７７は、図４に示される携帯電話端末１４に比べて、制御部９０内の詳細な構成が異なる点と、位置情報取得部４６が省略されている点と、ＡＶコンテンツ蓄積部９１が追加されている点とが異なり、その他の構成は同様である。上記実施形態で説明した構成と同様の構成には同一の符号を付して、その説明を省略する。【０１５８】  ＡＶコンテンツ蓄積部９１は、ＡＶコンテンツ作成・送信装置７２から受信したＡＶコンテンツを蓄積するものである。ＡＶコンテンツ蓄積部９１は、ＨＤＤ、ＤＶＤ（Ｄｉｇｉｔａｌ  Ｖｅｒｓａｔｉｌｅ  Ｄｉｓｋ）ドライブなどの大容量の記憶装置によって構成される。【０１５９】  次に、制御部９０の詳細について説明する。本実施形態の制御部９０は、図４に示される携帯電話端末１４の制御部４０に比べて、ＡＶコンテンツ解析部９２の構成が異なる点と、応答メッセージ取得部５６が省略されている点と、サブコンテンツ転送部９３およびサブコンテンツ取得部９４が追加されている点とが異なり、その他の構成は同様である。なお、上記実施形態で説明した構成と同様の構成には同一の符号を付して、その説明を省略する。【０１６０】  ＡＶコンテンツ解析部９２は、ＡＶコンテンツ作成・送信装置７２から中継局１３およびＡＶコンテンツ受信部４４を介して取得したＡＶコンテンツを解析するものである。具体的には、ＡＶコンテンツ解析部９２は、取得したＡＶコンテンツからＡＶデータを識別して再生部５４に送信する。また、ＡＶコンテンツ解析部９２は、取得したＡＶコンテンツからサブコンテンツを識別してサブコンテンツの内容を解析し、解析結果に基づいて種々の指示をブラウザ部５１、レイアウト指示部５２、およびタイミング制御部５３に対して行う。【０１６１】  また、ＡＶコンテンツ解析部９２は、識別したサブコンテンツをサブコンテンツ転送部９３に送信する。また、ＡＶコンテンツ解析部９２は、サブコンテンツ取得部９４からサブコンテンツを取得して解析し、該サブコンテンツ内で指定されたＡＶデータが利用可能であるか否か、具体的にはＡＶコンテンツ蓄積部９１に蓄積されているか否かを判断する。蓄積されている場合には、ＡＶコンテンツ解析部９２は、ＡＶコンテンツ蓄積部９１からＡＶデータを読み出して、ＡＶコンテンツ作成・送信装置７２から取得したＡＶコンテンツと同様に、上記ＡＶデータを再生部５４に送信するとともに、サブコンテンツの内容の解析結果に基づいて種々の指示をブラウザ部５１、レイアウト指示部５２、およびタイミング制御部５３に対して行う。【０１６２】  サブコンテンツ転送部９３は、ＡＶコンテンツ解析部９２から受信したサブコンテンツを、通信部４５および通信ネットワーク１６を介して、別のＡＶコンテンツ再生装置に送信するものである。また、サブコンテンツ取得部９４は、別のＡＶコンテンツ再生装置から通信ネットワーク１６および通信部４５を介してサブコンテンツを取得するものである。サブコンテンツ取得部９４は、取得したサブコンテンツをＡＶコンテンツ解析部９２に送信する。【０１６３】  図１７は、ＡＶコンテンツ関連サービス提供装置７５の概略構成を示している。本実施形態のＡＶコンテンツ関連サービス提供装置７５は、図５に示されるＡＶコンテンツ関連サービス提供装置１６に比べて、番組情報受信部６０および番組情報判断部６３の代わりにＩＤ受信部９５が設けられている点と、メッセージ解析部９６および入力内容格納部９７の構成が異なる点と、店舗情報格納部６５およびメッセージ応答部６６が省略されている点とが異なり、その他の構成は同様である。なお、上記実施形態で説明した構成と同様の構成には同一の符号を付して、その説明を省略する。【０１６４】  ＩＤ受信部９５は、ＡＶコンテンツ作成・送信装置７２が作成した番組ＩＤおよびシーンＩＤを受信するものである。ＩＤ受信部９５は、受信した番組ＩＤおよびシーンＩＤを入力内容格納部９７に格納する
メッセージ解析部９６は、メッセージ受信部６１から受信したメッセージを解析するものである。メッセージ解析部９６は、メッセージに含まれる各種情報、具体的には、番組ＩＤおよびシーンＩＤと、視聴者からの入力情報と、端末設定情報とを入力内容格納部９７に送信する。【０１６５】  入力内容格納部９７は、ＩＤ受信部９５から受信した番組ＩＤおよびシーンＩＤと、メッセージ解析部９６から受信した各種情報とを格納するものである。これにより、放送事業者は、ＡＶコンテンツ再生装置７４から受信したメッセージが、何時放送された何れのシーンに対するアンケートであるかを把握することができる。【０１６６】  図１９は、サブコンテンツＤ２２の一例を示している。また、図２１（ａ）・（ｂ）は、上記サブコンテンツＤ２２に基づいて表示される表示画面を示している。なお、サブコンテンツＤ２２のデータ構造は、図６に示されるサブコンテンツＤ１２のデータ構造と同様であるので、その説明を省略する。また、図示の場合では、サブコンテンツＤ２２は、図７に示されるサブコンテンツＤ１２と同様に、ＸＭＬ形式で記述されているが、ＨＴＭＬ形式、ＸＨＴＭＬ形式、ＳＭＩＬ形式など、任意の記述形式またはその組合せによって記述することができる。また、図１９に示される記述例は、本願発明の説明のために簡単な記述となっている。【０１６７】  本実施形態では、＜ｌａｙｏｕｔ＞タグ内にレイアウト指定情報Ｄ２３が記述されている。図１９および図２１（ａ）・（ｂ）に示される例では、幅６４０ピクセル×高さ４８０ピクセル（ＶＧＡ（Ｖｉｄｅｏ  Ｇｒａｐｈｉｃｓ  Ａｒｒａｙ））の画面において、幅５８０ピクセル×高さ４３５ピクセルの上部大領域と、幅６４０ピクセル×高さ４５ピクセルの下部小領域とに分割される。【０１６８】  さらに、幅６４０ピクセル×高さ４８０ピクセルの画面において、高さ２４０ピクセルの上部領域と、高さ２４０ピクセルの下部領域とに分割され、さらに上部領域が、左側３２０ピクセルの左上領域と、右側３２０ピクセルの右上領域とに分割され、さらに右上領域が、高さ１４０ピクセルの右上頂部領域と、高さ１００ピクセルの右上底部領域とに分割されている。そして、レイアウト指定情報Ｄ２３では、左上領域、右上頂部領域、右上底部領域、および下部領域が指定されている。【０１６９】  また、第１の＜ｐａｒ＞タグ内に第１の表示内容指定情報Ｄ２７ａが記述されている。図１９および図２１（ａ）に示される例では、上部大領域にＡＶデータに基づく映像が表示され、下部小領域にＨＴＭＬ文書「ｏｎｅｐｏｉｎｔ．ｈｔｍｌ」による内容が表示される。なお、第１の＜ｐａｒ＞タグには、６０秒の表示時間（ｄｕｒ＝″６０ｓ″）が指定されている。【０１７０】  また、第２の＜ｐａｒ＞タグ内に第２の表示内容指定情報Ｄ２７ｂが記述されている。第２の表示内容指定情報Ｄ２７ｂによる表示は、第１の表示内容指定情報Ｄ２７ａによる表示（６０秒間）の後に実行される。図１９および図２１（ｂ）に示される例では、左上領域にＡＶデータに基づく映像が表示され、右上頂部領域にＨＴＭＬ文書「ｓｕｍｍａｒｙ．ｈｔｍｌ」による内容が表示され、右上底部領域にＨＴＭＬ文書「ｕｒａｎａｉ．ｈｔｍｌ」による内容が表示され、かつ下部領域にＨＴＭＬ文書「ｅｎｑｕｅｔｅ．ｈｔｍｌ」による内容が表示される。【０１７１】  なお、上記のＨＴＭＬ文書「ｓｕｍｍａｒｙ．ｈｔｍｌ」・「ｅｎｑｕｅｔｅ．ｈｔｍｌ」はサブコンテンツＤ２２に含まれている。一方、ＨＴＭＬ文書「ｕｒａｎａｉ．ｈｔｍｌ」には、ＵＲＬが記述されている。このため、ＡＶコンテンツ再生装置７４は、外部から通信ネットワーク１６を介してＨＴＭＬ文書「ｕｒａｎａｉ．ｈｔｍｌ」を取得することになる。【０１７２】  図２０は、上記ＨＴＭＬ文書「ｅｎｑｕｅｔｅ．ｈｔｍｌ」の一例を示している。図示のように、「ｅｎｑｕｅｔｅ．ｈｔｍｌ」には、アンケートの内容と、「アンケート送信」ボタンを選択した場合の動作と、「友達に教える」ボタンを選択した場合の動作とが記述されている。「アンケート送信」ボタンを選択した場合には、メッセージが作成される。一方、「友達に教える」ボタンを選択した場合には、サブコンテンツが転送される。【０１７３】  図１９に戻ると、＜ｍｅｓｓａｇｅ＞タグにメッセージ送信先情報Ｄ２４が記述され、＜ｍｅｓｓａｇｅ＞タグ内にメッセージ構造情報Ｄ２５が記述されている。本実施形態では、この＜ｍｅｓｓａｇｅ＞タグが、メッセージの雛形となる。【０１７４】  図示の例では、＜ｍｅｓｓａｇｅ＞タグには、ＡＶコンテンツ関連サービス提供装置７５の電子メールアドレスがメッセージ送信先情報Ｄ２４として記述されている。また、＜ｍｅｓｓａｇｅ＞タグ内には、＜ｐｒｏｇｒａｍ＞タグ、＜ｓｃｅｎｅ＞タグ、＜ｉｎｐｕｔ＞タグ、＜ｎａｍｅ＞タグ、＜ａｄｄｒｅｓｓ＞タグ、および＜ｔｖｉｄ＞タグが記述されている。【０１７５】  ＜ｐｒｏｇｒａｍ＞タグ内には、ＴＶ番組を特定する番組ＩＤが記述され、＜ｓｃｅｎｅ＞タグ内には、シーンを特定するシーンＩＤが記述されている。これらのタグは、サブコンテンツＤ２２に予め記述されている。【０１７６】  また、＜ｉｎｐｕｔ＞タグ内には、視聴者が入力したアンケート内容が記述され、＜ｎａｍｅ＞タグ内には、視聴者の氏名が記述され、＜ａｄｄｒｅｓｓ＞タグ内には、視聴者の住所が記述され、かつ、＜ｔｖｉｄ＞タグ内には、視聴者の端末（本実施形態ではＡＶコンテンツ再生装置７４・７７）を特定する端末ＩＤが記述される。なお、＜ｉｎｐｕｔ＞タグ内の情報は、視聴者がアンケートに答えて「アンケート送信」ボタンを入力することにより記述される。また、＜ｎａｍｅ＞タグ、＜ａｄｄｒｅｓｓ＞タグ、および＜ｔｖｉｄ＞タグ内の情報は、メッセージを作成する時に記述される。【０１７７】  図２２は、ＡＶコンテンツ再生装置７４のメッセージ作成部５５が作成するメッセージの構造と該メッセージの一例とを示している。図示のように、ＡＶコンテンツ特定データＤ２８として、＜ｐｒｏｇｒａｍ＞タグ内に番組ＩＤが記述され、＜ｓｃｅｎｅ＞タグ内にシーンＩＤが記述される。また、入力内容として、＜ｉｎｐｕｔ＞タグ内にアンケート内容が記述される。また、端末利用者の個人情報として、＜ｎａｍｅ＞タグ内に視聴者の氏名が記述され、＜ａｄｄｒｅｓｓ＞タグ内に視聴者の住所が記述される。そして、＜ｔｖｉｄ＞タグ内に端末ＩＤが記述される。【０１７８】  ��こで、サブコンテンツの記載の一例として、ＭＭＳ（Ｍｕｌｔｉｍｅｄｉａ  Ｍｅｓｓａｇｉｎｇ  Ｓｅｒｖｉｃｅ）メッセージテンプレートを利用した場合について図５０および図５１を参照して説明する。【０１７９】  図５０は、上記ＭＭＳメッセージテンプレートを利用した場合におけるサブコンテンツの構造を示している。図示のように、ＭＭＳメッセージテンプレートは、メッセージテンプレートとメディアオブジェクトとから構成されている。メッセージテンプレートは、テンプレートのタイトルや説明などのメッセージテンプレート自体のメタデータと、メッセージの送信先や題名などのヘッダ情報を決定するためのデータと、メッセージの作成方法に関するデータとを含む構成である。【０１８０】  図５１は、上記メッセージテンプレートの記述の一例を示している。図示の例では、メッセージテンプレート自体のメタデータは、＜ｈｅａｄ＞タグ内に記述されている。また、メッセージのヘッダ情報を決定するためのデータは、＜ｍｅｓｓａｇｅ＞タグ内に記述されている。このタグ内で、メッセージの送信先は、＜ｔｏ−ｈｅａｄｅｒ＞タグ内に記述されている。さらに、メッセージを作成するための方法は、＜ｗｉｚａｒｄ＞タグ内で指定されており、このタグ内で、メディアオブジェクトを置換する方法が、＜ｓｔｅｐ＞タグ内で指定されている。【０１８１】  図５１に示されるメッセージテンプレートにより、ＡＶコンテンツ再生装置７４は、メディアオブジェクトを置換し、置換したメディアオブジェクトと上記メッセージテンプレートとを含むＭＭＳメッセージテンプレートをメッセージとして、ＡＶコンテンツ関連サービス提供装置７５その他の装置に送信することができる。すなわち、ＡＶコンテンツ再生装置７４は、入力されたテキストデータを「ｅｎｑｕｅｔｅ．ｔｘｔ」ファイルとし、元のメディアオブジェクトを上記「ｅｎｑｕｅｔｅ．ｔｘｔ」ファイルに置換し、置換した「ｅｎｑｕｅｔｅ．ｔｘｔ」ファイルを含むＭＭＳメッセージテンプレートをメッセージとして「ｅｎｑｕｅｔｅ＠ｔｖ．ａｎｉｍａｌｓ．ｃｏｍ」に送信することができる。【０１８２】  図２３は、ＡＶコンテンツ再生装置７４・７７が行う処理動作を示している。図示のように、まず、制御部９０は、チャンネルを選択して放送を受信する場合であるか、或いは転送されたサブコンテンツを再生する場合であるかを判断する（Ｓ３０）。【０１８３】  チャンネルを選択する場合には、コンテンツ受信部４４がＡＶコンテンツを受信し（Ｓ３１）、ＡＶコンテンツ解析部９２がＡＶコンテンツを解析し（Ｓ３２）、解析結果に基づいて、ＡＶコンテンツのレイアウトおよび表示を行う（Ｓ３３）。【０１８４】  次に、制御部９０は、次のサブコンテンツを受信したか否かを判断する（Ｓ３４）。受信した場合には（Ｓ３４でＹＥＳ）、ステップＳ３２に戻って上記動作を繰り返す。一方、受信しない場合には（Ｓ３４でＮＯ）、メッセージの作成および送信を行う（Ｓ３５）。その後、ステップＳ３４に戻って、上記動作を繰り返す。なお、メッセージの作成および送信の処理動作の詳細については後述する。【０１８５】  一方、サブコンテンツを再生する場合には、制御部９０は、サブコンテンツを��み込み（Ｓ３６）、サブコンテンツに対応するＡＶデータをＡＶコンテンツ蓄積部９１から検索し（Ｓ３７）、見つかったＡＶデータと上記サブコンテンツとを含むＡＶコンテンツのレイアウトおよび表示を行う（Ｓ３８）。次に、メッセージの作成および送信を行い（Ｓ３９）、その後、処理動作を終了する。【０１８６】  図２４は、メッセージの作成および送信の処理動作（Ｓ３５・Ｓ３９）を示している。図示のように、まず、制御部９０は、ユーザからの入力を受け付ける（Ｓ４０）。次に、制御部４０は、ユーザがメッセージの送信を要求したか否かを判断する（Ｓ４０ａ）。【０１８７】  メッセージの送信を要求しない場合には（Ｓ４０ａでＮＯ）、ステップＳ４０に戻って上記動作を繰り返す。一方、メッセージの送信を要求した場合には（Ｓ４０ａでＹＥＳ）、ユーザからの入力をメッセージの雛形に埋め込み（Ｓ４１）、端末設定情報を埋め込んで（Ｓ４２）、メッセージを作成し、作成したメッセージを送信する（Ｓ４３）。その後、元の処理ルーチンに戻る。【０１８８】  なお、本実施形態では、サブコンテンツに対応するＡＶデータをＡＶコンテンツ蓄積部９１から検索しているが、現在放送されている番組で番組ＩＤが一致するＡＶデータをＡＶコンテンツ受信部４４から受信することもできる。この場合、ＡＶコンテンツ再生装置７４は、ＡＶデータの番組ＩＤおよびシーンＩＤを何らかの方法で取得する必要がある。この方法としては、番組ＩＤおよびシーンＩＤを含むＡＶデータをＡＶコンテンツ作成・送信装置７２が送信する方法や、ＡＶコンテンツ作成・送信装置７２のＩＤ送信部８６から番組ＩＤおよびシーンＩＤを、通信ネットワーク１６を介してＡＶコンテンツ再生装置７７に送信する方法が挙げられる。【０１８９】  また、本実施形態では、ＡＶコンテンツ再生装置７７は、ＡＶコンテンツ再生装置７４から転送されたサブコンテンツを再生しているが、ＡＶコンテンツ再生装置７４との画面解像度の違いにより、サブコンテンツで指定された表示寸法で表示できない可能性がある。この場合、ＡＶコンテンツ再生装置７７は、縦横比を維持したまま縮小表示したり、一部のサブコンテンツのみを表示したりすればよい。【０１９０】  また、上記ステップＳ３７において、サブコンテンツに対応するＡＶデータをＡＶコンテンツ蓄積部９１から検索しているが、該当するＡＶデータが見つからない場合や何らかの理由によりＡＶデータが利用できない場合が考えられる。この場合、ＡＶデータに基づく表示を行わないか、ＡＶデータが表示されるべき領域に、ＡＶデータが利用できない旨を表示して、サブコンテンツのみを表示することが考えられる。【０１９１】  また、本実施形態では、ＡＶコンテンツ作成・送信装置７２は、ＡＶデータとサブコンテンツとを、ＡＶコンテンツとして同じ放送波を介してＡＶコンテンツ再生装置７４に送信しているが、別々の通信経路を介してＡＶコンテンツ再生装置７４に送信してもよい。【０１９２】  図２５は、ＡＶコンテンツ作成・送信装置７２が、ＡＶコンテンツを構成するＡＶデータとサブコンテンツとを、別々の通信経路を介してＡＶコンテンツ再生装置７４に送信する変形例を示している。図示の例では、ＡＶコンテンツ作成・送信装置７２は、ＡＶデータを、基地局１３から放送波としてＡＶコンテンツ再生装置７４に送信する一方で、サブコンテンツを、通信ネットワーク１６を介してＡＶコンテンツ再生装置７４に送信している。【０１９３】  図２５に示されるＡＶコンテンツ再生装置７４は、図１６に示されるＡＶコンテンツ再生装置７４に比べて、ＡＶコンテンツ受信部４４がＡＶデータを受信する点と、ＡＶコンテンツ蓄積部９１がＡＶデータを蓄積する点と、サブコンテンツ取得部９４がＡＶコンテンツ作成・送信装置７２から通信ネットワーク１６および通信部４５を介してサブコンテンツを取得する点とが異なり、その他は同様である。【０１９４】  上記の構成によると、ＡＶコンテンツに含まれるＡＶデータおよびサブコンテンツが別々の通信経路で送信されるので、従来よりも通信経路の負担を軽減することができる。また、一方の通信経路が利用できない環境や場所において、他方の通信経路を利用することによりＡＶデータおよびサブコンテンツを送信できるようになる。【０１９５】  なお、サブコンテンツ取得部９４がサブコンテンツを取得するタイミングは、ＡＶコンテンツ受信部４４がＡＶデータを受信するタイミングと異なっていてもよい。この場合、異なるタイミングで受信したＡＶデータとサブコンテンツとを同期させる必要がある。この同期を行うには、図２３に示されるステップＳ３６〜Ｓ３８と同様に、サブコンテンツ取得部９４が取得したサブコンテンツに対応するＡＶデータをＡＶコンテンツ蓄積部９１から検索すればよい。或いは、サブコンテンツ取得部９４が取得したサブコンテンツに番組ＩＤを含むとき、該番組ＩＤによって示される番組のＡＶデータを、該番組が放送される時間帯にＡＶコンテンツ受信部４４が受信すればよい。【０１９６】  また、ＡＶコンテンツ作成・送信装置７２は、ＡＶコンテンツ再生装置７４からサブコンテンツの要求を受信することなく、サブコンテンツをＡＶコンテンツ再生装置７４に送信してもよい。この場合、ＡＶコンテンツ再生装置７４は、ＡＶコンテンツ作成・送信装置７２へのサブコンテンツの要求が不要であるので、ＡＶコンテンツ再生装置７４の利用者を煩わせることがない。【０１９７】  また、本実施形態では、ＡＶデータを特定する情報Ｄ２８として、番組ＩＤおよびシーンＩＤを利用しているが、ＡＶコンテンツにおける映像または音声の一部を利用することもできる。映像の一部を利用する場合には、図１９に示されるＡＶデータを特定する情報Ｄ２８において、映像の一部をメッセージに添付することを示す＜ｓｃｒｅｅｎ／＞タグが利用される。また、音声の一部を利用する場合には、ＡＶデータを特定する情報Ｄ２８において、所定期間の音声をメッセージに添付することを示す＜ａｕｄｉｏ／＞タグが利用される。【０１９８】  また、映像または音声の一部を利用する場合、本実施形態の双方向サービスシステムにおける構成を下記のようにすればよい。すなわち、図１５に示されるＡＶコンテンツ作成・送信装置７２において、ＩＤ送信部８６が、番組・シーンＩＤ設定部８２からの番組ＩＤおよびシーンＩＤの代わりに、ＡＶコンテンツ作成部８３から取得したＡＶコンテンツをＡＶコンテンツ関連サービス提供装置７５に送信する。【０１９９】  また、図１６に示されるＡＶコンテンツ再生装置７４において、再生部５４が、或る時点でのＡＶコンテンツの映像データ、または或る時点から所定期間のＡＶコンテンツの音声データをメッセージ作成部５５に送信する。メッセージ作成部５５は、作成したメッセージに上記映像データまたは音声データを添付して、通信部４５および通信ネットワーク１６を介してＡＶコンテンツ関連サービス提供装置７５に送信する。【０２００】  また、図１７に示されるＡＶコンテンツ関連サービス提供装置７５において、ＩＤ受信部９５が、ＡＶコンテンツ作成・送信装置７２からＡＶコンテンツを受信し、受信したＡＶコンテンツをメッセージ解析部９６に送信する。メッセージ解析部９６は、ＡＶコンテンツ再生装置７４からのメッセージに添付された映像データおよび音声データをキーとして、ＩＤ受信部９５からのＡＶコンテンツ内を検索し、検索結果から番組およびシーンを特定する。これにより、ＡＶコンテンツ再生装置７４から受信したメッセージが、何時放送された何れのシーンに対するものであるかを把握することができる。【０２０１】  また、本実施形態では、ＡＶコンテンツ作成・送信装置７２は、ＡＶデータとサブコンテンツとを、ＡＶコンテンツとして同じタイミングで放送しているが、別々のタイミング（非同期）で放送してもよい。【０２０２】  図２６は、ＡＶコンテンツ作成・送信装置７２が、ＡＶコンテンツを構成するＡＶデータとサブコンテンツとを、同じ放送波を介して別々のタイミングで基地局１３から放送する変形例を示している。図示の例では、ＡＶコンテンツ作成・送信装置７２は、ＡＶデータとサブコンテンツとを、同じ通信経路を介して、すなわち基地局１３から放送波としてＡＶコンテンツ再生装置７４に送信している。一方で、ＡＶコンテンツ作成・送信装置７２は、ＡＶデータとサブコンテンツとを、別々のタイミングでＡＶコンテンツ再生装置７４に送信している。【０２０３】  図２６に示されるＡＶコンテンツ再生装置７４は、図１６に示されるＡＶコンテンツ再生装置７４に比べて、ＡＶコンテンツ受信部４４がＡＶデータとサブコンテンツとを別々のタイミングで受信する点と、ＡＶコンテンツ蓄積部９１がＡＶデータまたはサブコンテンツを蓄積する点とが異なり、その他は同様である。【０２０４】  本変形例では、ＡＶコンテンツ再生装置７４は、異なるタイミングで受信したＡＶデータとサブコンテンツとを同期させる必要がある。この同期を行うには、ＡＶコンテンツ受信部４４（図１６）が取得したサブコンテンツに対応するＡＶデータをＡＶコンテンツ蓄積部９１から検索すればよい。或いは、ＡＶコンテンツ受信部４４が取得したサブコンテンツに番組ＩＤを含むとき、該番組ＩＤによって示される番組のＡＶデータを、該番組が放送される時間帯にＡＶコンテンツ受信部４４が受信すればよい。【０２０５】  なお、サブコンテンツは、ＡＶデータと異なるタイミングで送信しているが、どのタイミングで送信するかは、種々に選択できる。例えば、サブコンテンツの送信とＡＶデータの送信とが重ならないようにしてもよい。この場合、ＡＶデータの放送中の放送帯域を節約することができる。【０２０６】  また、サブコンテンツをＥＰＧ（電子番組表）データの中に含めて、ＡＶデータよりも先に送信してもよい。この場合、ＡＶコンテンツ再生装置７４は、ユーザがＥＰＧを参照して或る番組を選択すると、該番組に対応するサブコンテンツを再生するようにすることにより、上記番組とサブコンテンツとを関連付けさせることができる。また、サブコンテンツによって記述された、双方向サービス等の各種サービスの提供を、コンテンツが提供される時間とは別のタイミングで行うことができる。【０２０７】  なお、図２６に示されるように、ＡＶコンテンツ作成・送信装置７２がサブコンテンツをＡＶコンテンツ再生装置７４に放送する場合、ＡＶコンテンツ再生装置７４は、ＡＶコンテンツ作成・送信装置７２へのサブコンテンツの要求が不要であるので、ＡＶコンテンツ再生装置７４の利用者を煩わせることがない。【０２０８】  また、本実施形態では、ＡＶコンテンツ再生装置７４は、自装置の状態に関係なく、図２１（ａ）・（ｂ）に示されるようなサブコンテンツＤ２２に基づく表示が行われているが、自装置の状態によって表示を変更することもできる。ここで、ＡＶコンテンツ再生装置７４の状態の例としては、ＡＶコンテンツ再生装置７４に設定されている日付や時刻、ＡＶコンテンツ再生装置７４に予め入力した利用者の個人情報、番組やチャンネルの視聴契約情報、番組を既に視聴したか否かの情報などが挙げられる。ＡＶコンテンツ再生装置７４の状態の情報は、記憶部４１の端末設定情報４７として格納されている。【０２０９】  図２７は、ＡＶコンテンツ再生装置７４の状態によって表示が変更されるサブコンテンツの一例を示している。図示のサブコンテンツＤ２２は、図１９に示されるサブコンテンツＤ２２に比べて、第２の表示内容指定情報Ｄ２７ｂ内に、ＡＶコンテンツ再生装置７４の状態に基づいてサブコンテンツの表示内容の切替えを指示する＜ｃｏｎｄｉｔｉｏｎ＞タグが追加されている点が異なり、その他は同様である。【０２１０】  ＜ｃｏｎｄｉｔｉｏｎ＞タグには、ＡＶコンテンツ再生装置７４の記憶部４１に記憶された端末設定情報４７が満たすべき条件が記述され、＜ｃｏｎｄｉｔｉｏｎ＞タグ内には、上記条件を満たす場合に実行される内容が記述されている。図２７の例では、ユーザの利用するＡＶコンテンツ再生装置７４が、「都央テレビ１」の視聴契約を行っているか否かを示す条件が記述されており、上記視聴契約を行っている場合には、表示画面の下部領域にＨＴＭＬ文書「ｅｎｑｕｅｔｅ．ｈｔｍｌ」（図２０）による内容を表示する一方、上記視聴契約を行っていない場合には、表示画面の下部領域にＨＴＭＬ文書「ｅｎｑｕｅｔｅ＿ｓｕｂｓｃｒｉｐｔｉｏｎ．ｈｔｍｌ」による内容を表示する旨が記述されている。【０２１１】  図２８は、上記ＨＴＭＬ文書「ｅｎｑｕｅｔｅ＿ｓｕｂｓｃｒｉｐｔｉｏｎ．ｈｔｍｌ」の一例を示している。図示のＨＴＭＬ文書「ｅｎｑｕｅｔｅ＿ｓｕｂｓｃｒｉｐｔｉｏｎ．ｈｔｍｌ」は、図２０に示されるＨＴＭＬ文書「ｅｎｑｕｅｔｅ．ｈｔｍｌ」に比べて、アンケートを促す内容の記述が異なる点と、「友達に教える」ボタンとその動作の代わりに「資料請求」ボタンとその動作が記述されている点とが異���り、その他は同様である。「資料請求」ボタンが選択された場合には、資料請求のメッセージが作成される。【０２１２】  図２９は、図２７に示されるサブコンテンツＤ２２に基づいて表示される表示画面であって、ＡＶコンテンツ再生装置７４の利用者が上記視聴契約を行っていない場合の表示画面を示している。この場合、図示のように、表示画面の下部領域に「資料請求」のボタンなどが表示される。【０２１３】  したがって、ＡＶコンテンツ再生装置７４は、図２７に示されるサブコンテンツＤ２２を取得することにより、上記視聴契約を行っている場合には、図２１（ｂ）に示される表示画面となり、上記視聴契約を行っていない場合には、図２９に示される表示画面となる。すなわち、ＡＶコンテンツ再生装置７４の状態に基づいて、サブコンテンツの表示内容が変更されることになる。【０２１４】  これにより、ＡＶコンテンツ再生装置７４の利用者に特化したサービスを提供することができる。また、日時によってサブコンテンツの表示内容を変化させたい場合でも、日時によってサブコンテンツを改めて送信するといった無駄が無くなるので、効率的なサブコンテンツの配信が可能となる。【０２１５】  なお、＜ｃｏｎｄｉｔｉｏｎ＞タグにおける条件としては、上述のようなチャンネルの視聴契約の有無の他にも種々のものが考えられ、例えば、特定の日時を経過しているか否か、利用者の年齢が一定以上か、該当する番組を既に視聴しているかどうか、などが挙げられる。【０２１６】  また、本実施形態では、メッセージは電子メールであり、メッセージの送信先は電子メールアドレスである。しかしながら、上述のように、メッセージはＷＷＷにおけるリクエストでもよい。この場合、メッセージの送信先はＷＷＷにおけるＵＲＬとなる。【０２１７】  図３０は、メッセージがＷＷＷにおけるリクエストである場合のサブコンテンツを示している。図示のサブコンテンツＤ２２は、図１９に示されるサブコンテンツＤ２２に比べて、メッセージ送信先情報Ｄ２４として、電子メールアドレスの代わりにＷＷＷのＵＲＬ（ｈｔｔｐ：／／ｔｖ．ａｎｉｍａｌｓ．ｃｏｍ／ｅｎｑｕｅｔｅ．ｃｇｉ）が記述される点が異なり、その他は同様である。【０２１８】  〔実施の形態３〕
次に、本発明のさらに別の実施形態について、図３１〜図４１を参照しつつ説明する。図３１は、本実施形態である双方向サービスシステムの概略構成を示している。この双方向サービスシステム１００は、テレビで番組を見ながら、携帯電話端末で生放送のクイズに応募できるサービスを提供するものである。なお、上記実施形態で説明した構成および処理動作と同様の構成および処理動作には同一の符号を付して、その説明を省略する。【０２１９】  図３１に示されるように、双方向サービスシステム１００は、ＡＶコンテンツ作成・送信装置１０２とＡＶコンテンツ関連サービス提供装置１０５とが通信可能に接続し、ＡＶコンテンツ作成・送信装置１０２およびＡＶコンテンツ関連サービス提供装置１０５と、サブコンテンツ再生装置１０７とが、通信ネットワーク１６を介して通信可能に接続した構成である。また、ＡＶデータ再生装置１０４は、ＡＶコンテンツ作成・送信装置１０２から中継局１３を介してＡＶデータを受信して再生する機能を有している。【０２２０】  本実施形態では、ＡＶコンテンツ作成・送信装置１０２、ＡＶコンテンツ関連サービス提供装置１０５、および中継局１３は、放送事業者が所有し、ＡＶデータ再生装置１０４およびサブコンテンツ再生装置１０７は、視聴者が所有するものである。また、図示の例では、放送事業者からのＡＶデータを受信して再生するＡＶデータ再生装置１０４は、ＴＶ放送受信機であり、放送事業者からのサブコンテンツを受信して再生するサブコンテンツ再生装置１０７は、携帯電話端末である。【０２２１】  なお、本実施形態では、図１４に示される双方向システムと比べて、ＡＶデータの送信経路と、ＡＶデータに付随するサブコンテンツの送信経路とが別々であり、それぞれＡＶデータ再生装置１０４およびサブコンテンツ再生装置１０７に送信される点が大きく異なる。【０２２２】  ＡＶコンテンツ作成・送信装置１０２は、ＡＶデータを所定の時間帯に中継局１３を介して放送するとともに、サブコンテンツを適当な時刻に通信ネットワーク１６を介してサブコンテンツ再生装置１０７に送信する。【０２２３】  ＡＶデータ再生装置１０４は、従来のＴＶ放送受像機と同様に、ＡＶデータを再生する機能を有しているが、メッセージを送信する機能を有していない。一方、サブコンテンツ再生装置１０７は、従来の携帯電話端末と同様に、メッセージを送信する機能を有しているが、ＡＶデータを再生する機能を有していない。また、サブコンテンツ再生装置１０７は、赤外線、電波などを利用して、ＡＶデータ再生装置１０４を遠隔操作できる遠隔操作機能を有している。【０２２４】  本実施形態では、ＡＶデータは、放送事業者から受信したデータをリアルタイムで再生するストリーミングデータである。また、サブコンテンツは、応募画面の表示レイアウトを指定するレイアウト指定データと、応募内容を記述した応募データと、メッセージとして送信することにより応募を行う場合におけるメッセージの構造および送信先を示す送信先データと、ＡＶデータを特定するデータとを含んでいる。【０２２５】  従って、サブコンテンツ再生装置１０７は、サブコンテンツを受信すると、サブコンテンツに基づき応募画面を表示すると���もに、遠隔操作機能を用いて、ＡＶデータ再生装置１０４にＡＶデータの再生を指示する。これにより、ＡＶデータ再生装置１０４は、ＡＶデータを受信し、受信したＡＶデータに基づくＴＶ番組の映像を表示する。このように、サブコンテンツに基づく表示と、ＡＶデータに基づく表示とを、別々の装置に分離することができる。【０２２６】  このとき、視聴者（ＡＶデータ再生装置１０４およびサブコンテンツ再生装置１０７のユーザ）が、応募内容について入力し、画面上の送信ボタンを選択すると、サブコンテンツ再生装置１０７は、メッセージの構造を示すデータに基づいてメッセージを作成する。このメッセージには、視聴者から入力された情報と、サブコンテンツ再生装置１０７に予め設定された個人情報（例えば電話番号など）と、ＴＶ番組内の或る場面を特定するための情報であるチャンネルＩＤおよび放送時刻とが含まれる。そして、サブコンテンツ再生装置１０７は、作成したメッセージを、メッセージの送信先（図示の例ではＡＶコンテンツ関連サービス提供装置１０５）を示すデータに基づいて送信する。【０２２７】  これにより、従来のＴＶ放送受像機と従来の携帯電話端末とを利用して双方向サービスを容易に実現することができる。すなわち、視聴者は、ＴＶ放送受像機（ＡＶデータ再生装置１０４）にて映像を確認しながら、携帯電話端末（サブコンテンツ再生装置１０７）を操作することにより、双方向サービスを利用することができる。【０２２８】  また、ＡＶデータ再生装置１０４は、サブコンテンツを再生する機能が不要である一方、サブコンテンツ再生装置１０７は、ＡＶデータを再生する機能が不要である。したがって、ＡＶデータ再生装置１０４およびサブコンテンツ再生装置１０７の機能を簡略化することができる。また、既存のＴＶ放送受像機などのサブコンテンツを再生できない機器と、サブコンテンツのみを再生できる機器との組合せによって、双方向サービスを利用できるようになる。【０２２９】  また、ＡＶコンテンツ作成・送信装置１０２が作成するＡＶコンテンツのサブコンテンツに、ＡＶコンテンツ関連サービス提供装置１０５を送信先とする送信先データが含まれるので、放送事業者が所望する装置にてサブコンテンツ再生装置１０７からのメッセージを受信することができる。その結果、放送事業者は、視聴者参加型の番組を生放送で実現することができる。また、サブコンテンツ再生装置１０７のユーザは、メッセージの送信先を入力する必要がないので、入力する手間を省略できると共に、入力ミスによるメッセージの誤送を防止できる。【０２３０】  次に、本実施形態の双方向サービスシステム１００における各構成の詳細について説明する。【０２３１】  図３２は、ＡＶコンテンツ作成・送信装置１０２の概略構成を示している。上述のように、ＡＶコンテンツ作成・送信装置１０２は、ＴＶ番組の映像および音声として再生されるための番組用ＡＶデータを所定の時間帯に中継局１３を介して放送すると共に、上記番組用ＡＶデータに付随するサブコンテンツを、通信ネットワーク１６を介してサブコンテンツ再生装置１０７に送信するものである。【０２３２】  本実施形態のＡＶコンテンツ作成・送信装置１０２は、図１５に示さ��るＡＶコンテンツ作成・送信装置７２に比べて、ＡＶコンテンツ作成部８３およびＡＶコンテンツ送信部８５の代わりにＡＶデータ送信部１１２が設けられている点と、サブコンテンツ送信部１１０が新たに設けられている点と、番組・シーンＩＤ設定部８２の代わりに番組放送情報格納部１１１が設けられている点と、ＩＤ送信部８６の代わりに番組放送情報送信部１１３が設けられている点とが異なり、その他の構成は同様である。上記実施形態で説明した構成と同様の構成には同一の符号を付して、その説明を省略する。【０２３３】  サブコンテンツ送信部１１０は、タイマ部８４から受信した時刻情報に基づいて、サブコンテンツ格納部８１からサブコンテンツを適当なタイミングで読み出して、通信ネットワーク１６を介してサブコンテンツ再生装置１０７に送信するものである。【０２３４】  番組放送格納部１１は、例えばＥＰＧ（Ｅｌｅｃｔｒｏｎｉｃ  Ｐｒｏｇｒａｍ  Ｇｕｉｄｅ）のように、各番組の放送開始時刻および放送終了時刻が格納されている。番組放送格納部１１は、フラッシュメモリ、ＨＤＤなどの記憶装置によって構成される。【０２３５】  ＡＶデータ送信部１１２は、ＡＶデータ格納部８０から所望の番組用ＡＶデータを読み出し、読み出した番組用ＡＶデータを、番組放送情報格納部１１１から読み出した番組の放送時間帯と、タイマ部８４から受信した時刻情報に基づいて送信するものである。これにより、所定の時刻に所定のＡＶデータが中継局１３から放送される。【０２３６】  番組放送情報送信部１１３は、番組放送格納部１１１から番組放送情報を読み出して、ＡＶコンテンツ関連サービス提供装置１０５に送信するものである。【０２３７】  図３３は、サブコンテンツ再生装置１０７の概略構成を示している。本実施形態のサブコンテンツ再生装置１０７は、図１６に示されるＡＶコンテンツ再生装置７４・７７に比べて、制御部１１５内の構成が異なる点と、ＡＶコンテンツ受信部４４およびＡＶコンテンツ蓄積部９１が省略されている点と、赤外線送信部１１６が追加されている点とが異なり、その他の構成は同様である。上記実施形態で説明した構成と同様の構成には同一の符号を付して、その説明を省略する。【０２３８】  赤外線送信部１１６は、制御部１１５からの指示に基づいて、遠隔操作信号を赤外線でＡＶデータ再生装置１０４に送信するものである。なお、赤外線の代わりに電波を利用することもできるし、無線の代わりに有線を利用することもできる。【０２３９】  次に、制御部１１５の詳細について説明する。本実施形態の制御部１１５は、図１６に示されるＡＶコンテンツ再生装置７４・７７の制御部９０に比べて、サブコンテンツ取得部１１７の構成が異なる点と、タイミング制御部５３、ＡＶコンテンツ解析部９２、およびサブコンテンツ転送部９３が省略されている点と、ＡＶデータ再生指示部１１８が追加されている点とが異なり、その他の構成は同様である。なお、上記実施形態で説明した構成と同様の構成には同一の符号を付して、その説明を省略する。【０２４０】  サブコンテンツ取得部１１７は、ＡＶコンテンツ作成・送信装置１０２から通信ネットワーク１６および通信部４５を介してサブコンテンツを取得するものである。また、サブコンテンツ取得部１１７は、サブコンテンツの内容を解析し、解析結果に基づいて種々の指示をブラウザ部５１、およびレイアウト指示部５２に対して行う。さらに、サブコンテンツ取得部１１７は、サブコンテンツに含まれるチャンネルデータをＡＶ再生指示部１１８に送信する。【０２４１】  ＡＶ再生指示部１１８は、サブコンテンツ取得部１１７から取得したチャンネルデータに基づいて、該チャンネルのＡＶデータを再生するように指示するＡＶデータ再生指示を、赤外線送信部１１６を介してＡＶデータ再生装置１０４に送信する。これにより、サブコンテンツにて指定されたチャンネルの映像および音声をＡＶデータ再生装置１０４にて出力することができる。【０２４２】  図３４は、ＡＶデータ再生装置１０４の概略構成を示している。図示のように、ＡＶデータ再生装置１０４は、ＡＶデータ受信部１２０、赤外線受信部１２１、およびＡＶデータ再生部１２２を備える構成である。【０２４３】  ＡＶデータ受信部１２０は、ＡＶコンテンツ作成・送信装置１０２からのＡＶデータを受信するものである。ＡＶデータ受信部１２０は、受信したＡＶデータをＡＶデータ再生部１２２に送信する。赤外線受信部１２１は、サブコンテンツ再生装置１０７からのＡＶデータ再生指示を赤外線で受信するものである。赤外線受信部１２１は、受信したＡＶデータ再生指示をＡＶデータ再生部１２２に送信する。【０２４４】  ＡＶデータ再生部１２２は、サブコンテンツ再生装置１０７から赤外線受信部１２１を介して取得したＡＶデータ再生指示に基づきチャンネルを選択して、選択したチャンネルのＡＶデータをＡＶデータ受信部１２０から取得して再生するものである。【０２４５】  図３５は、ＡＶコンテンツ関連サービス提供装置１０５の概略構成を示している。本実施形態のＡＶコンテンツ関連サービス提供装置１０５は、図５に示されるＡＶコンテンツ関連サービス提供装置１５に比べて、店舗情報格納部６５およびメッセージ応答部６６が省略されている点が異なり、その他の構成は同様である。なお、上記実施形態で説明した構成と同様の構成には同一の符号を付して、その説明を省略する。【０２４６】  図３６は、サブコンテンツＤ３２の一例を示している。また、図３８は、上記サブコンテンツＤ３２に基づいて表示される表示画面を示している。なお、サブコンテンツＤ３２のデータ構造は、図６に示されるサブコンテンツＤ１２のデータ構造と同様であるので、その説明を省略する。また、図示の場合では、サブコンテンツＤ３２は、図７に示されるサブコンテンツＤ１２と同様に、ＸＭＬ形式で記述されているが、ＨＴＭＬ形式、ＸＨＴＭＬ形式、ＳＭＩＬ形式など、任意の記述形式またはその組合せによって記述することができる。また、図３６に示される記述例は、本願発明の説明のために簡単な記述となっている。【０２４７】  本実施形態では、＜ｌａｙｏｕｔ＞タグ内にレイアウト指定情報Ｄ３６が記述されている。図３６および図３８に示される例では、幅６４０ピクセル×高さ４８０ピクセル（ＶＧＡ（Ｖｉｄｅｏ  Ｇｒａｐｈｉｃｓ  Ａｒｒａｙ））の全表示領域が指定され、幅３２０ピクセルの右側領域が指定されている。【０２４８】  また、＜ｐａｒ＞��グ内に表示内容指定情報Ｄ３７が記述されている。図３６および図３８に示される例では、画面の全表示領域にＡＶデータに基づく映像が表示され、該表示に重畳して、画面の右側領域にＨＴＭＬ文書「ｉｎｆｏ．ｈｔｍｌ」による内容が表示される。なお、上記のＨＴＭＬ文書「ｉｎｆｏ．ｈｔｍｌ」はサブコンテンツＤ３２に含まれている。【０２４９】  なお、本実施形態では、ＡＶデータ再生装置１０４は、サブコンテンツを再生する機能を有していないので、表示内容指定情報Ｄ３７に基づき、画面の全表示領域にＡＶデータに基づく映像が表示されることになる。また、サブコンテンツ再生装置１０７は、ＡＶデータを再生する機能を有していないので、表示内容指定情報Ｄ３７に基づき、画面の右側領域（携帯電話端末の全表示領域）にＨＴＭＬ文書「ｉｎｆｏ．ｈｔｍｌ」に基づく表示が行われることになる。【０２５０】  図３７は、上記ＨＴＭＬ文書「ｉｎｆｏ．ｈｔｍｌ」の一例を示している。図示のように、「ｉｎｆｏ．ｈｔｍｌ」には、合言葉の入力要求と、「応募する」ボタンを選択した場合の動作とが記述されている。「応募する」ボタンを選択した場合には、メッセージが作成され、ＡＶコンテンツ関連サービス提供装置１０５に送信される。【０２５１】  図３６に戻ると、＜ｍｅｓｓａｇｅ＞タグにメッセージ送信先情報Ｄ３４が記述され、＜ｍｅｓｓａｇｅ＞タグ内にメッセージ構造情報Ｄ３５が記述されている。本実施形態では、この＜ｍｅｓｓａｇｅ＞タグが、メッセージの雛形となる。【０２５２】  図示の例では、＜ｍｅｓｓａｇｅ＞タグには、ＡＶコンテンツ関連サービス提供装置１０５の電子メールアドレスがメッセージ送信先情報Ｄ３４として記述されている。また、＜ｍｅｓｓａｇｅ＞タグ内には、＜ｃｈａｎｎｅｌ＞タグ、＜ｃｕｒｒｅｎｔ＞タグ、＜ｉｎｐｕｔ＞タグ、＜ｎａｍｅ＞タグ、＜ｔｅｌ＞タグ、および＜ｔｖｉｄ＞タグが記述されている。【０２５３】  なお、＜ｃｈａｎｎｅｌ＞タグは、図７に示されているものと同様であるので、その説明を省略する。また、＜ｉｎｐｕｔ＞タグ、＜ｎａｍｅ＞タグ、および＜ｔｖｉｄ＞タグは、図１９に示されているものと同様であるので、その説明を省略する。但し、＜ｃｈａｎｎｅｌ＞タグ内の情報は、図７に示されているものとは異なり、ＡＶコンテンツ作成・送信装置１０２が予め記述している。【０２５４】  ＜ｃｕｒｒｅｎｔ＞タグ内には、現在時刻を示す現在時刻情報が記述される。また、＜ｔｅｌ＞タグ内には、サブコンテンツ再生装置１０７（携帯電話端末）の電話番号が記述される。なお、＜ｔｅｌ＞タグ内の情報は、メッセージを作成する時に記述される。【０２５５】  図３９は、サブコンテンツ再生装置１０７のメッセージ作成部５５が作成するメッセージの構造と該メッセージの一例とを示している。図示のように、ＡＶコンテンツ特定データＤ３８として、＜ｃｈａｎｎｅｌ＞タグ内にチャンネル情報が記述され、＜ｃｕｒｒｅｎｔ＞タグ内に現在時刻情報が記述される。また、入力内容として、＜ｉｎｐｕｔ＞タグ内に合言葉が記述される。また、端末利用者の個人情報として、＜ｎａｍｅ＞タグ内に視聴者の氏名が記述され、＜ｔｅｌ＞タグ内に視聴者の電話番号が記述される。そして、＜ｔｖｉｄ＞タグ内に端末ＩＤが記述される。【０２５６】  図４０は、サブコンテンツ再生装置１０７が行う処理動作を示している。図示のように、まず、制御部１１５は、ＡＶコンテンツ作成・送信装置１０２からサブコンテンツを受信すると（Ｓ５０）、サブコンテンツを解析し、解析結果に基づいて、サブコンテンツのレイアウトおよび表示を行うとともに（Ｓ５１）、サブコンテンツに記述されたチャンネルのＡＶデータを再生するように、ＡＶデータ再生命令（指示）をＡＶデータ再生装置１０４に送信する（Ｓ５２）。【０２５７】  次に、制御部１１５は、ユーザからの入力を受け付けて（Ｓ５３）、ユーザからの入力（合言葉）をメッセージの雛形に埋め込み（Ｓ５４）、端末設定情報を埋め込んで（Ｓ５５）、メッセージを作成し、作成したメッセージを送信する（Ｓ５６）。その後、処理を終了する。【０２５８】  図４１は、ＡＶデータ再生装置１０４が行う処理動作を示している。図示のように、まず、ＡＶデータ再生装置１０４は、サブコンテンツ再生装置１０７からＡＶデータ再生命令を受信するまで待機する（Ｓ６０）、ＡＶデータ再生命令を受信すると、ＡＶデータ再生装置１０４は、ＡＶデータを受信して（Ｓ６１）、ＡＶデータの再生を行う（Ｓ６２）。再生が終了した後、処理動作を終了する。【０２５９】  〔実施の形態４〕
次に、本発明の他の実施形態について、図４２〜図４５を参照しつつ説明する。図４２は、本実施形態である双方向サービスシステムの概略構成を示している。この双方向サービスシステム１２０は、携帯電話でドラマのビデオクリップを見ている際、番組内で気になった点についての情報を入手できるサービスを提供するものである。なお、上記実施形態で説明した構成および処理動作と同様の構成および処理動作には同一の符号を付して、その説明を省略する。【０２６０】  図４２に示されるように、双方向サービスシステム１２０は、ＡＶコンテンツ作成・送信装置１２３、ＡＶコンテンツ再生装置１２４、およびＡＶコンテンツ関連サービス提供装置１２５が通信ネットワーク１６を介して通信可能に接続した構成である。本実施形態では、上記実施形態とは異なり、ＡＶコンテンツ作成・送信装置１２３がＡＶコンテンツを、通信ネットワーク１６を介してＡＶコンテンツ再生装置１２４に送信している。【０２６１】  本実施形態では、ＡＶコンテンツ作成・送信装置１２３は、番組制作業者が所有し、ＡＶコンテンツ再生装置１２４は、視聴者が所有するものである。また、図示の例では、ＡＶコンテンツ再生装置１２４は、携帯電話端末である。【０２６２】  ＡＶコンテンツ作成・送信装置１２３は、ＡＶコンテンツを作成し、ＡＶコンテンツ再生装置１２４からの要求に応じて、ＡＶコンテンツを送信する。【０２６３】  本実施形態では、ＡＶデータは、番組制作業者から受信したデータを再生するビデオクリップである。また、サブコンテンツは、映像を表示するメイン画面と質問画面とを切り替える表示レイアウトを指定するレイアウト指定データと、ＡＶコンテンツ再生装置１２４からＡＶコンテンツ関連サービス提供装置１２５に送信するメッセージの構造および送信先を示す送信先データと、ＡＶデータを特定するデータとを含んでいる。【０２６４】  本実施形態では、ＡＶコンテンツ再生装置１２４は、ＡＶコンテンツ作成・送信装置１２３からのＡＶコンテンツを受信すると、指定された表示レイアウトに基づいて、メイン画面および質問画面の何れか一方を再生表示し、ユーザの操作に基づいて他方に切り替える。【０２６５】  このとき、視聴者（ＡＶコンテンツ再生装置１２４のユーザ）が、質問画面上の質問ボタンを押すと、ＡＶコンテンツ再生装置１２４は、メッセージの構造を示すデータに基づいてメッセージを作成する。このメッセージには、ＡＶコンテンツ再生装置１２４に予め設定された個人情報（例えば住所、氏名など）およびメールアドレスと、番組を特定する情報とが含まれる。本実施形態では、番組を特定する情報として、ＡＶデータの識別子（例えばファイル名）と、再生開始からの経過時間とを利用している。そして、ＡＶコンテンツ再生装置１２４は、サブコンテンツに指定された複数のメッセージ送信先の何れかを選択し、選択した送信先にメッセージを送信する。【０２６６】  ＡＶコンテンツ関連サービス提供装置１２５は、ＡＶコンテンツ再生装置１２４から受信したメッセージに基づいて情報を蓄積する。【０２６７】  したがって、ＡＶコンテンツが放送ではなく通信により送られる場合でも、サブコンテンツに基づく双方向サービスの利用が可��である。【０２６８】  また、ＡＶコンテンツ作成・送信装置１２３が作成するＡＶコンテンツのサブコンテンツに、ＡＶコンテンツ関連サービス提供装置１２５を送信先とする複数の送信先データが含まれ、ＡＶコンテンツ再生装置１２４のユーザの選択に基づいて何れかの送信先にメッセージが送信されるので、番組制作者が所望する装置ごとにサブコンテンツ再生装置１０７からのメッセージを受信することができる。また、ＡＶコンテンツ再生装置１２４のユーザは、メッセージの送信先を選択するのみでよく、該送信先を入力する必要がないので、入力する手間を省略できると共に、入力ミスによるメッセージの誤送を防止できる。【０２６９】  図４３は、サブコンテンツＤ４２の一例を示している。なお、サブコンテンツＤ４２に含まれるレイアウト指定情報Ｄ４６とメイン画面の表示内容指定情報Ｄ４７ａとは、図７に示されるレイアウト指定情報Ｄ１６とメイン画面の表示内容指定情報Ｄ１７ａと同様であるので、その説明を省略する。また、図示の場合では、サブコンテンツＤ４２は、ＸＭＬ形式で記述されているが、ＨＴＭＬ形式、ＸＨＴＭＬ形式、ＳＭＩＬ形式など、任意の記述形式またはその組合せによって記述することができる。また、図４３に示される記述例は、本願発明の説明のために簡単な記述となっている。【０２７０】  質問画面では、全領域にＨＴＭＬ文書「ｑｕｅｒｙ．ｈｔｍｌ」による内容が表示される。図４４は、上記ＨＴＭＬ文書「ｑｕｅｒｙ．ｈｔｍｌ」の一例を示しており、図４５（ｂ）は、質問画面の表示内容指定情報Ｄ４７ｂに基づいて表示されるメイン画面の一例を示している。図示のように、質問画面では、画面の要素の選択と、質問の入力と、質問を送信するボタンである「送信」ボタンと、メイン画面に切り替えるボタンである「戻る」ボタンとが表示される。本実施形態では、上記選択に対応してメッセージの送信先が変化する。なお、上記のＨＴＭＬ文書「ｑｕｅｒｙ．ｈｔｍｌ」はサブコンテンツＤ４２に含まれている。【０２７１】  図４３に戻ると、＜ｍｅｓｓａｇｅ＞タグにメッセージ送信先情報Ｄ４４が記述され、＜ｍｅｓｓａｇｅ＞タグ内にメッセージ構造情報Ｄ４５が記述されている。本実施形態では、この＜ｍｅｓｓａｇｅ＞タグが、メッセージの雛形となる。なお、メッセージ送信先情報Ｄ４４は、メッセージを作成する時に上記選択に基づいて記述される。【０２７２】  図示の例では、＜ｍｅｓｓａｇｅ＞タグ内には、＜ｖｉｄｅｏ＞タグ、＜ｅｌａｐｓｅｄ＞タグ、＜ｅｍａｉｌ＞タグ、および＜ｉｎｐｕｔ＞タグが記述されている。なお、＜ｖｉｄｅｏ＞タグ以外のタグは、メッセージを作成する時に情報が記述される。【０２７３】  ＜ｖｉｄｅｏ＞タグ内には、ビデオクリップの識別子であるファイル名が予め記述されている。また、＜ｅｌａｐｓｅｄ＞タグ内には、ビデオクリップの再生開始からの経過時間情報が記述される。上記ファイル名および経過時間情報が、ＡＶデータを特定する情報Ｄ４８となる。【０２７４】  また、＜ｅｍａｉｌ＞タグ内には、メッセージ送信元情報が電子メールアドレスで記述される。そして、＜ｉｎｐｕｔ＞タグ内には、質問の内容がテキストデータで記述される。なお、質問が入力されなかった場合には、「未回答」と記述される。【０２７５】  〔実施の形態５〕
次に、本発明の他の実施形態について説明する。本実施形態の双方向サービスシステムは、図１〜図１３に示される双方向サービスシステム１０に比べて、ＡＶコンテンツ関連サービス提供装置は、メッセージの送信先に基づいて提供するサービスを特定することができるものである。なお、上記実施形態で説明した構成および処理動作と同様の構成および処理動作には同一の符号を付して、その説明を省略する。【０２７６】  この場合、ＡＶコンテンツ関連サービス提供装置１５は、メッセージの送信先からＣＭ（ＡＶコンテンツ）を特定できるので、ＣＭを特定するために番組情報を利用する必要がない。したがって、図１に示されるＡＶコンテンツ合成・送信装置１２は、ＡＶコンテンツ関連サービス提供装置１５に対する番組情報の送信を省略できる。これにより、図３に示されるＡＶコンテンツ合成・送信装置１２は、番組情報作成部３５および番組情報送信部３６を省略できる。また、図５に示されるＡＶコンテンツ関連サービス提供装置１５は、番組情報受信部６０、番組情報判断部６３、および番組情報格納部６７を省略できる。【０２７７】  その結果、本実施形態の双方向サービスシステムは、図１〜図１３に示される双方向サービスシステム１０に比べて、構成を簡略化することができる。【０２７８】  本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０２７９】  例えば、上記実施形態では、マルチメディアコンテンツに含まれるコンテンツとしてＡＶデータを使用しているが、画像データ、映像データ、音声データ、文書データなど、種々のコンテンツを利用することができる。【０２８０】  また、上記実施形態では、氏名、電話番号などの視聴者の個人情報を、ＡＶコンテンツ再生装置からＡＶデータ関連サービス提供装置に直接送信しているが、例えば以下のように送信することもできる。【０２８１】  すなわち、まず、放送事業者とのチャンネル契約時などのタイミングにおいて、事前に端末ＩＤと視聴者の個人情報との対応関係を、ＡＶコンテンツ作成・送信装置に格納しておく。次に、ＡＶコンテンツ再生装置は、個人情報を省略し、端末ＩＤを含むメッセージをＡＶコンテンツ関連サービス提供装置に送信する。そして、ＡＶコンテンツ関連サービス提供装置が、受信したメッセージに含まれる端末ＩＤに対応する視聴者の個人情報をＡＶコンテンツ作成・送信装置に問い合せて取得する。これにより、ＡＶコンテンツ再生装置は、メッセージから視聴者の個人情報を省略できるので、セキュリティが向上する。【０２８２】  また、本発明は、下記のように構成することもできる。【０２８３】  すなわち、本発明に係る双方向サービスシステムは、上記課題を解決するため、或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、前記サービス提供側には、前記��ルチメディアコンテンツを送信するマルチメディアコンテンツ送信装置と、前記メッセージを受信するメッセージ受信装置とを備えており、前記サービス要求側には、前記マルチメディアコンテンツ送信装置から受信したマルチメディアコンテンツを再生するマルチメディアコンテンツ再生装置と、前記マルチメディアコンテンツのサブコンテンツに基づいてメッセージを作成して送信するメッセージ送信装置とを備えており、前記マルチメディアコンテンツ送信装置が送信するマルチメディアコンテンツのサブコンテンツは、前記メッセージの送信先を示す送信先データを含んでおり、前記メッセージ送信装置は、前記サブコンテンツに含まれる送信先データに基づいて前記メッセージを送信することを特徴としている。【０２８４】  上記の構成によると、マルチメディアコンテンツ送信装置が送信するマルチメディアコンテンツのサブコンテンツには、メッセージの送信先を示す送信先データが含まれており、メッセージ送信装置は、前記サブコンテンツに含まれる送信先データに基づいてメッセージを送信している。これにより、サービス提供側が所望する送信先にメッセージを確実に送信することができる。したがって、双方向サービスを提供するサーバ以外にも、例えば放送事業者、ＣＭ制作業者などのサーバにメッセージを送信することができる。【０２８５】  なお、各装置は、サービス提供者側で一体であってもよいし、ユーザ側で一体であってもよい。また、メッセージは、電子メールシステムまたは該システムに類似するデータ送信システムを利用して送信することが望ましい。この場合、既存のシステムを利用でき、また、メッセージにメールアドレスを追加するのみでよいので、メッセージを簡便に送信することができる。【０２８６】  また、前記マルチメディアコンテンツ送信装置は、前記マルチメディアコンテンツに含まれるコンテンツおよびサブコンテンツを、別々の通信経路で前記コンテンツ再生装置に送信することもできる。【０２８７】  また、前記マルチメディアコンテンツ再生装置は、前記マルチメディアコンテンツにおける前記コンテンツを再生するコンテンツ再生装置と、前記マルチメディアコンテンツにおける前記サブコンテンツを再生するサブコンテンツ再生装置とに分離することもできる。この場合、前記サブコンテンツ再生装置とメッセージ送信装置とが一体とすることもできる。さらに、前記マルチメディアコンテンツ送信装置は、前記マルチメディアコンテンツに含まれるコンテンツおよびサブコンテンツを、別々の通信経路で前記コンテンツ再生装置および前記サブコンテンツ再生装置に送信することもできる。【０２８８】  本発明に係る双方向サービスシステムでは、上記の構成において、前記マルチメディアコンテンツ送信装置が送信するマルチメディアコンテンツのサブコンテンツは、前記メッセージに含まれるデータの種類を識別するデータ識別情報を予め含んでおり、前記メッセージ送信装置が送信するメッセージに含まれるデータは、前記データ識別情報と対応付けられていることが望ましい。この場合、データの並びがバラバラであっても、データ識別情報からデータの種類を特定できるので、所望の種類のデータを読み出すことができる。【０２８���】  本発明に係る双方向サービスシステムでは、上記の構成において、前記メッセージ送信装置は、自装置と自装置の使用者との少なくとも一方を特定する情報をメッセージに追加することが望ましい。この場合、自装置の使用者が、上記特定する情報のメッセージへの追加を指示する必要がないので、上記使用者を煩わせることがない。【０２９０】  ところで、例えば、コンテンツが、受信したデータをリアルタイムで再生するストリーミングデータである場合のように、コンテンツにおける何れの再生時のものであるかを特定する情報をメッセージに追加することが好ましい。【０２９１】  そこで、本発明に係る双方向サービスシステムでは、上記の構成において、前記マルチメディアコンテンツ再生装置は、コンテンツの再生と、サブコンテンツの再生とを切り替える切替手段を備えることが好ましい。さらに、前記メッセージ送信装置は、サービス提供側にコンテンツを特定させる情報をメッセージに追加することが好ましい。ここで、前記コンテンツを特定させる情報としては、マルチメディアコンテンツ再生装置の前記切替手段がコンテンツの再生からサブコンテンツの再生に切り替えた時刻の情報が挙げられる。【０２９２】  また、本発明に係る双方向サービスシステムでは、上記の構成において、前記コンテンツは、所定のチャンネルから放送が行われる番組のＡＶデータであり、前記メッセージ送信装置は、前記チャンネルの情報と前記放送の時刻の情報とをメッセージに追加することが好ましい。【０２９３】  また、本発明に係る双方向サービスシステムでは、上記の構成において、前記コンテンツは、ファイル形式で送信され、前記メッセージ送信装置は、ファイルの識別子とコンテンツの再生開始時刻からの経過時間とをメッセージに追加することが好ましい。【０２９４】  なお、上記双方向サービスシステムに利用されるマルチメディアコンテンツ送信装置であれば、上述と同様の効果を奏することができる。また、上記双方向サービスシステムに利用されるメッセージ送信装置であれば、上述と同様の効果を奏することができる。【０２９５】  本発明に係るサブコンテンツのデータ構造は、上記課題を解決するため、コンテンツに付随するサブコンテンツのデータ構造であって、前記コンテンツおよび前記サブコンテンツを含むマルチメディアコンテンツに対するメッセージの構造を示す構造データと、前記メッセージの送信先を示す送信先データとを含むことを特徴としている。【０２９６】  上記の構成によると、マルチメディアコンテンツのサブコンテンツには、マルチメディアコンテンツに対するメッセージの送信先を示す送信先データが含まれている。これにより、マルチメディアコンテンツを再生する側で、前記メッセージを作成して送信する場合に、前記送信先データに基づいて前記メッセージを送信することになる。したがって、マルチメディアコンテンツを作成する側が所望する送信先に前記メッセージを送信することができる。【０２９７】  なお、送信先データは、前記コンテンツに対応するものであってもよい。この場合、コンテンツごとにメッセージの送信先を変更することができる。その結果、メッセージの送信先からコンテンツを特定することができる。【０２���８】  さらに、前記構造データは、前記メッセージに含まれるデータの種類を識別するデータ識別情報を含むことが好ましい。この場合、メッセージ内のデータの並びがバラバラであっても、データ識別情報からデータの種類を特定できる。したがって、メッセージを送信する側でメッセージを作成するときに、メッセージ内のデータを並び替える必要が無い。また、メッセージを受信した側で所望の種類のデータを読み出すことができる。【０２９９】  また、メッセージが何れのコンテンツに対するメッセージであるかを識別することが好ましい。このため、本発明に係るデータ構造には、前記コンテンツを識別するために利用されるコンテンツ識別用情報をさらに含むことが好ましい。【０３００】  最後に、ＡＶコンテンツ作成装置１１、ＡＶコンテンツ合成・送信装置１２、再生装置１４・７４・７７・１０４・１０７・１２４、ＡＶコンテンツ関連サービス提供装置１５・７５・１０５・１２５、およびＡＶコンテンツ作成・送信装置７２・１０２・１２３の各ブロック、特に再生装置の制御部は、ハードウェアロジックによって構成してもよいし、次のようにＣＰＵを用いてソフトウェアによって実現してもよい。【０３０１】  すなわち、上記装置は、各機能を実現する制御プログラムの命令を実行するＣＰＵ（ｃｅｎｔｒａｌ  ｐｒｏｃｅｓｓｉｎｇ  ｕｎｉｔ）、上記プログラムを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアである上記装置の制御プログラムのプログラムコード（実行形式プログラム、中間コードプログラム、ソースプログラム）をコンピュータで読み取り可能に記録した記録媒体を、上記装置に供給し、そのコンピュータ（またはＣＰＵやＭＰＵ）が記録媒体に記録されているプログラムコードを読み出し実行することによっても、達成可能である。【０３０２】  上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０３０３】  また、上記装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０３０４】  本発明に係る双方向サービスシステムでは、マルチメディアコンテンツ再生装置およびメッセージ送信装置としてＴＶ映像受像機、携帯電話端末に好適であるが、ＰＤＡ、ＰＣなど、その他の情報通信端末にも適用できる。
【図１】
2007000870.tif 000002
【図２】
2007000870.tif 000003
【図３】
2007000870.tif 000004
【図４】
2007000870.tif 000005
【図５】
2007000870.tif 000006
【図６】
2007000870.tif 000007
【図７】
2007000870.tif 000008
【図８】
2007000870.tif 000009
【図９（ａ）】
2007000870.tif 000010
【図９（ｂ）】
2007000870.tif 000011
【図１０】
2007000870.tif 000012
【図１１】
2007000870.tif 000013
【図１２】
2007000870.tif 000014
【図１３】
2007000870.tif 000015
【図１４】
2007000870.tif 000016
【図１５】
2007000870.tif 000017
【図１６】
2007000870.tif 000018
【図１７】
2007000870.tif 000019
【図１８】
2007000870.tif 000020
【図１９】
2007000870.tif 000021
【図２０】
2007000870.tif 000022
【図２１（ａ）】
2007000870.tif 000023
【図２１（ｂ）】
2007000870.tif 000024
【図２２】
2007000870.tif 000025
【図２３】
2007000870.tif 000026
【図２４】
2007000870.tif 000027
【図２５】
2007000870.tif 000028
【図２６】
2007000870.tif 000029
【図２７】
2007000870.tif 000030
【図２８】
2007000870.tif 000031
【図２９】
2007000870.tif 000032
【図３０】
2007000870.tif 000033
【図３１】
2007000870.tif 000034
【図３２】
2007000870.tif 000035
【図３３】
2007000870.tif 000036
【図３４】
2007000870.tif 000037
【図３５】
2007000870.tif 000038
【図３６】
2007000870.tif 000039
【図３７】
2007000870.tif 000040
【図３８（ａ）】
2007000870.tif 000041
【図３８（ｂ）】
2007000870.tif 000042
【図３９】
2007000870.tif 000043
【図４０】
2007000870.tif 000044
【図４１】
2007000870.tif 000045
【図４２】
2007000870.tif 000046
【図４３】
2007000870.tif 000047
【図４４】
2007000870.tif 000048
【図４５（ａ）】
2007000870.tif 000049
【図４５（ｂ）】
2007000870.tif 000050
【図４６】
2007000870.tif 000051
【図４７】
2007000870.tif 000052
【図４８】
2007000870.tif 000053
【図４９】
2007000870.tif 000054
【図５０】
2007000870.tif 000055
【図５１】
2007000870.tif 000056
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側は、前記マルチメディアコンテンツに含まれるコンテンツおよびサブコンテンツを前記サービス要求側に、別々の通信経路で送信しており、
サブコンテンツは、コンテンツと関連付けるための情報を含んでおり、
前記サービス要求側は、該サービス要求側が有する送信先データに基づいて前記メッセージを送信することを特徴とする双方向サービスシステム。
【請求項２】
（削除）
【請求項３】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側は、前記マルチメディアコンテンツに含まれるコンテンツおよびサブコンテンツを前記サービス要求側に、同じ通信経路で送信しており、
前記サービス要求側は、該サービス要求側が有する送信先データに基づいて前記メッセージを送信しており、
前記サービス要求側に送信されるコンテンツおよびサブコンテンツは、非同期で送信されており、
サブコンテンツは、コンテンツと関連付けるための情報を含むことを特徴とする双方向サービスシステム。
【請求項４】
前記マルチメディアコンテンツのサブコンテンツは、前記メッセージの送信先を示す送信先データを含んでいることを特徴とする請求項１または３に記載の双方向サービスシステム。
【請求項５】
或るコンテンツと該コンテンツに付随するサブコンテンツとを含むマルチメディアコンテンツを送信する送信手段を備えるマルチメディアコンテンツ送信装置であって、
前記送信手段は、前記マルチメディアコンテンツに含まれるコンテンツおよびサブコンテンツを、別々の通信経路で送信しており、
サブコンテンツは、コンテンツと関連付けるための情報を含むことを特徴とするマルチメディアコンテンツ送信装置。
【請求項６】
（削除）
【請求項７】
或るコンテンツと該コンテンツに付随するサブコンテンツとを含むマルチメディアコンテンツを送信する送信手段を備えるマルチメディアコンテンツ送信装置であって、
前記送信手段は、前記マルチメディアコンテンツに含まれるコンテンツおよびサブコンテンツを、同じ通信経路で送信しており、
前記コンテンツおよびサブコンテンツは、非同期で送信されており、
サブコンテンツは、コンテンツと関連付けるための情報を含むことを特徴とするマルチメディアコンテンツ送信装置。
【請求項８】
前記サブコンテンツは、前記マルチメディアコンテンツに対するメッセージの送信先を示す送信先データを含むことを特徴とする請求項５または７に記載のマルチメディアコンテンツ送信装置。
【請求項９】
前記送信先データは、前記コンテンツに対応するものであることを特徴とする請求項８に記載のマルチメディアコンテンツ送信装置。
【請求項１０】
前記サブコンテンツは、前記マルチメディアコンテンツを再生する側において、前記メッセージを作成する場合の該メッセージの構造を示す構造データをさらに含むことを特徴とする請求項５または７に記載のマルチメディアコンテンツ送信装置。
【請求項１１】
或るコンテンツと該コンテンツに付随するサブコンテンツとを含むマルチメディアコンテンツを受信する受信手段を備えるマルチメディアコンテンツ受信装置であって、
前記受信手段は、前記コンテンツおよび前記サブコンテンツを、別々の通信経路で受信しており、
サブコンテンツは、コンテンツと関連付けるための情報を含むことを特徴とするマルチメディアコンテンツ受信装置。
【請求項１２】
（削除）
【請求項１３】
或るコンテンツと該コンテンツに付随するサブコンテンツとを含むマルチメディアコンテンツを受信する受信手段を備えるマルチメディアコンテンツ受信装置であって、
前記受信手段は、前記コンテンツおよび前記サブコンテンツを、同じ通信経路で受信しており、
前記コンテンツおよび前記サブコンテンツは、非同期で受信されており、
サブコンテンツは、コンテンツと関連付けるための情報を含むことを特徴とするマルチメディアコンテンツ受信装置。
【請求項１４】
或るコンテンツと該コンテンツに付随するサブコンテンツとを含むマルチメディアコンテンツを受信する受信手段を備えるマルチメディアコンテンツ受信装置であって、
前記受信手段は、自装置からの要求に無関係に送信され、或いは放送された前記サブコンテンツを受信しており、
サブコンテンツは、コンテンツと関連付けるための情報を含むことを特徴とするマルチメディアコンテンツ受信装置。
【請求項１５】
前記受信手段が受信したサブコンテンツを再生するサブコンテンツ再生手段をさらに備えることを特徴とする請求項１１、１３、および１４の何れか１項に記載のマルチメディアコンテンツ受信装置。
【請求項１６】
前記受信手段が受信したコンテンツを再生するコンテンツ再生手段をさらに備えることを特徴とする請求項１５に記載のマルチメディアコンテンツ受信装置。
【請求項１７】
前記マルチメディアコンテンツに対するメッセージを作成する作成手段と、
作成したメッセージを送信する送信手段とをさらに備えており、
前記送信手段は、自装置が有する送信先データによって示される送信先に前記メッセージを送信することを特徴とする請求項１１、および、１３ないし１６の何れか１項に記載のマルチメディアコンテンツ受信装置。
【請求項１８】
前記送信先データは、前記受信手段が受信したサブコンテンツに含まれるものであることを特徴とする請求項１７に記載のマルチメディアコンテンツ受信装置。
【請求項１９】
前記作成手段は、前記受信手段が受信したサブコンテンツに含まれる構造データによって示されるメッセージの構造に基づいてメッセージを作成することを特徴とする請求項１７または１８に記載のマルチメディアコンテンツ受信装置。
【請求項２０】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムにおいて、
前記サービス提供側には、
前記マルチメディアコンテンツを送信する請求項５、および、７ないし１０の何れか１項に記載のマルチメディアコンテンツ送信装置を備えており、
前記サービス要求側には、
前記マルチメディアコンテンツを受信する請求項１７ないし１９の何れか１項に記載のマルチメディアコンテンツ受信装置を備えており、
さらに、前記サービス提供側には、
前記マルチメディアコンテンツ受信装置から前記メッセージを受信するメッセージ受信装置とを備えることを特徴とする双方向サービスシステム。
【請求項２１】
或るコンテンツと該コンテンツに付随するサブコンテンツとを含むマルチメディアコンテンツを送信するマルチメディアコンテンツ送信装置の制御方法であって、
前記マルチメディアコンテンツに含まれるコンテンツおよびサブコンテンツを、別々の通信経路で送信し、或いは同じ通信経路かつ非同期で送信するステップを含んでおり、
サブコンテンツは、コンテンツと関連付けるための情報を含むことを特徴とするマルチメディアコンテンツ送信装置の制御方法。
【請求項２２】
或るコンテンツと該コンテンツに付随するサブコンテンツとを含むマルチメディアコンテンツを受信するマルチメディアコンテンツ受信装置の制御方法であって、
前記コンテンツおよび前記サブコンテンツを、別々の通信経路で受信し、或いは同じ通信経路かつ非同期で受信するステップを含んでおり、
サブコンテンツは、コンテンツと関連付けるための情報を含むことを特徴とするマルチメディアコンテンツ受信装置の制御方法。
【請求項２３】
或るコンテンツと該コンテンツに付随するサブコンテンツとを含むマルチメディアコンテンツをサービス提供側からサービス要求側に送信し、前記マルチメディアコンテンツに対するメッセージを前記サービス要求側から前記サービス提供側に送信する双方向サービスシステムであって、前記サービス提供側には、前記マルチメディアコンテンツを送信するマルチメディアコンテンツ送信装置を備えており、前記サービス要求側には、前記マルチメディアコンテンツを受信するマルチメディアコンテンツ受信装置を備えており、さらに、前記サービス提供側には、前記マルチメディアコンテンツ受信装置から前記メッセージを受信するメッセージ受信装置とを備える双方向サービスシステムの制御方法において、
前記マルチメディアコンテンツ送信装置が、前記マルチメディアコンテンツに含まれるコンテンツおよびサブコンテンツを前記マルチメディアコンテンツ受信装置に、別々の通信経路で送信し、或いは同じ通信経路かつ非同期で送信するステップと、
前記マルチメディアコンテンツ受信装置が、前記サービス要求側が有する送信先データに基づいて前記メッセージを送信するステップとを含んでおり、
サブコンテンツは、コンテンツと関連付けるための情報を含むことを特徴とする双方向サービスシステムの制御方法。
【請求項２４】
請求項２１に記載のマルチメディアコンテンツ送信装置の制御方法における各ステップをコンピュータに実行させることを特徴とするマルチメディアコンテンツ送信装置制御プログラム。
【請求項２５】
請求項２２に記載のマルチメディアコンテンツ受信装置の制御方法における各ステップをコンピュータに実行させることを特徴とするマルチメディアコンテンツ受信装置制御プログラム。
【請求項２６】
請求項２３に記載の双方向サービスシステムの制御方法における各ステップをコンピュータに実行させることを特徴とする双方向サービスシステム制御プログラム。
【請求項２７】
請求項２４に記載のマルチメディアコンテンツ送信装置制御プログラム、請求項２５に記載のマルチメディアコンテンツ受信装置制御プログラム、および請求項２６に記載の双方向サービスシステム制御プログラムのうち少なくとも１つを記録したことを特徴とするコンピュータ読取り可能な記録媒体。
【国際調査報告】
2007000870.tif 000057
2007000870.tif 000058
2007000870.tif 000059
2007000870.tif 000060